(57)【要約】  ロックの物理的操作無しにロックのロック解除および／またはロック動作を許容するように設計された遠隔活性化ロックが、製品／商品に関連した１つまたは複数の便益を拒否するようなやり方で製品／商品に連接される。
2013506063.tif 000002
【特許請求の範囲】
【請求項１】
接着剤ベースと；
前記接着剤ベース全体にほぼ一様に分散された少なくとも１つの極性ポリマーと；
前記接着剤ベース全体にほぼ一様に分散された少なくとも１つの無極性ポリマーと；
前記接着剤ベース全体にほぼ一様に分散された少なくとも１つの導電性材料と；を含むエネルギー剥離可能接着剤混合物であって、
前記接着剤混合物は、送信エネルギーが印加されると第１の物理化学的状態から第２の物理化学的状態に遷移することができる、混合物。
【請求項２】
前記極性ポリマーは、ポリエーテルポリオール、ポリエステルポリオール、ポリカーボネートポリオール、アミン末端ポリオールからなる群の１つまたは複数から選択される、請求項１に記載のエネルギー剥離可能接着剤混合物。
【請求項３】
前記無極性ポリマーは、シリコーンポリオール、フッ化ポリオール、ポリブタジエンポリオール、カルボキシ末端ポリブタジエン、イソシアナート末端ポリブタジエン、メラニン化ポリブタジエンからなる群の１つまたは複数から選択される、請求項１に記載のエネルギー剥離可能接着剤混合物。
【請求項４】
前記導電性材料は、導電性塩類、金属粒子、金属配線、ナノワイヤ、カーボンナノチューブからなる群の１つまたは複数から選択される、請求項１に記載のエネルギー剥離可能接着剤混合物。
【請求項５】
前記接着剤混合物は、送信電磁気エネルギーの特定のプロフィールが印加されると第１の状態と第２の状態間で遷移することができる、請求項１に記載のエネルギー剥離可能接着剤混合物。
【請求項６】
前記第１の物理化学的状態は第１の接着状態であり前記第２の物理化学的状態は明らかに異なる第２の接着状態である、請求項１に記載のエネルギー剥離可能接着剤混合物。
【請求項７】
前記第１の物理化学的状態は第１の密度状態であり前記第２の物理化学的状態は明らかに異なる第２の密度状態である、請求項１に記載のエネルギー剥離可能接着剤混合物。
【請求項８】
縦方向上面と縦方向底面とを有する磁歪層と；
縦方向上面と縦方向底面とを有する電歪層であって、前記電歪層の前記縦方向上面は前記磁歪層の前記縦方向底面と結合される、電歪層と；
縦方向上面と縦方向底面とを有する接着剤混合物層であって、前記接着剤混合物層縦方向上面は前記電歪層縦方向底面と結合される、接着剤混合物層と；を含む積層物であって、
前記接着剤混合物層は：
接着剤ベースと；
前記接着剤ベース全体にほぼ一様に分散された少なくとも１つの極性ポリマーと；
前記接着剤ベース全体にほぼ一様に分散された少なくとも１つの無極性ポリマーと；
前記接着剤ベース全体にほぼ一様に分散された少なくとも１つの導電性材料と；とを含み、
前記接着剤混合物は、送信エネルギーが印加されると第１の物理化学的状態から第２の物理化学的状態に遷移することができる、積層物。
【請求項９】
前記接着剤混合物は、送信電磁気エネルギーの特定のプロフィールが印加されると第１の密度と第２の密度間で遷移することができる、請求項８に記載の積層物。
【請求項１０】
前記接着剤混合物は第１の接着状態から第２の接着状態に遷移する、請求項８に記載の積層物。
【請求項１１】
前記接着剤混合物の前記極性ポリマーは、ポリエーテルポリオール、ポリエステルポリオール、ポリカーボネートポリオール、アミン末端ポリオールからなる群の１つまたは複数から選択される、請求項８に記載の積層物。
【請求項１２】
前記接着剤混合物の前記無極性ポリマーは、シリコーンポリオール、フッ化ポリオール、ポリブタジエンポリオール、カルボキシ末端ポリブタジエン、イソシアナート末端ポリブタジエン、メラニン化ポリブタジエンからなる群の１つまたは複数から選択される、請求項８に記載の積層物。
【請求項１３】
前記接着剤混合物の前記導電性材料は、導電性塩類、金属粒子、金属配線、ナノワイヤ、カーボンナノチューブからなる群の１つまたは複数から選択される、請求項８に記載の積層物。
【請求項１４】
製品の使用の完全な便宜が認可されるまでこの便宜を拒絶する方法であって：
接着剤ベースと；
前記接着剤ベース全体にほぼ一様に分散された少なくとも１つの極性ポリマーと；
前記接着剤ベース全体にほぼ一様に分散された少なくとも１つの無極性ポリマーと；
前記接着剤ベース全体にほぼ一様に分散された少なくとも１つの導電性材料と；を含むエネルギー剥離可能接着剤混合物であって、
前記接着剤混合物は送信エネルギーが印加されると第１の物理化学的状態から第２の物理化学的状態に遷移できるように配合された、混合物と；
前記製品の少なくとも一部と相互作用するように構成された保護構造であって、前記接着剤がその第１の物理化学的状態にあってその第２の物理化学的状態にない場合に前記製品の完全使用を物理的に防止するようなやり方で、少なくともその１つの表面に沿って、前記接着剤混合物を介し前記製品の１つまたは複数の部分または前記保護構造の他の部品と接触するように構成される保護構造と、を含むロックを得る工程と；
前記ロックを前記製品に結びつける工程と；
前記接着剤がその第１の物理化学的状態に入ることを可能にする工程と、を含む方法。
【請求項１５】
ロックによりロックされた製品の使用の完全な便宜を許容する方法であって、前記ロックは、
送信エネルギーが印加されると第１の物理化学的状態から第２の物理化学的状態に遷移できるように配合されたエネルギー剥離可能接着剤混合物と、
前記製品の少なくとも一部と相互作用するように構成された保護構造であって、前記接着剤がその第１の物理化学的状態にあってその第２の物理化学的状態にない場合に前記製品の完全使用を物理的に防止するようなやり方で、少なくともその１つの表面に沿って、前記接着剤混合物を介し前記製品の１つまたは複数の部分または前記保護構造の他の部品と接触するように構成される、保護構造と、を含み、前記方法は、
前記接着剤混合物を前記第１の物理化学的状態から前記第２の物理化学的状態に遷移させるために必要なエネルギーを自動的に決定する工程と；
前記接着剤混合物をその第１の物理化学的状態からその第２の物理化学的状態に遷移させることができる前記ロックされた製品にエネルギーを自動的に送信する工程と；
前記保護構造はもはや、前記製品の完全使用を妨害するように前記製品の前記少なくとも１つの部分と相互作用していないことを確認する工程と、を含む方法。
【請求項１６】
送信エネルギープロフィールが印加されると第１の物理化学的状態から第２の物理化学的状態に遷移できるように配合されたエネルギー剥離可能接着剤混合物と、
製品の少なくとも一部と相互作用するように構成された保護構造であって、前記接着剤がその第１の物理化学的状態にあってその第２の物理化学的状態にない場合に前記製品の完全使用を物理的に防止するようなやり方で、少なくともその１つの表面に沿って、前記接着剤混合物を介し前記製品の１つまたは複数の部分または前記保護構造の他の部品と接触するように構成される、保護構造と、
を有するロックと、
前記接着剤混合物を前記第１の物理化学的状態から前記第２の物理化学的状態に遷移させるのに必要な前記送信エネルギープロフィールに関して商品に付随した電子的読み出し可能標識と、を含む商品。
【請求項１７】
異なるエネルギープロフィールを生成するように構成された活性化装置と；
前記活性化装置に動作可能に接続された読み取り装置であって、製品の完全な便宜を遮断するロックをロック解除するのに必要なエネルギープロフィールに関する命令を検出するために製品に付随した標識を読み取るように構成された、読み取り装置と；
前記読み取り装置と前記活性化装置に動作可能に接続されたプロセッサであって、前記読み取り装置からの命令情報を処理するともに、前記読み取り装置命令情報に基づき前記活性化装置に製品の完全な便宜を遮断するロックをロック解除するのに必要なエネルギープロフィールを生成するようにさせる、プロセッサと、を含むシステム。
【請求項１８】
送信エネルギープロフィールが印加されると第１の物理化学的状態から第２の物理化学的状態に遷移できるように配合されたエネルギー剥離可能接着剤混合物と；
製品の少なくとも一部と相互作用するように構成された保護構造であって、前記接着剤がその第１の物理化学的状態にあってその第２の物理化学的状態にない場合に前記製品の完全使用を物理的に防止するようなやり方で、少なくともその１つの表面に沿って、前記接着剤混合物を介し前記製品の１つまたは複数の部分または前記保護構造の他の部品と接触するように構成される、保護構造と；を有する第１のロックと、
送信エネルギープロフィールが印加されると第２の物理化学的状態から第１の物理化学的状態に遷移できるように配合されたエネルギー接合可能接着剤混合物と；
製品の少なくとも一部と相互作用するように構成された保護構造であって、前記接着剤がその第１の物理化学的状態にあってその第２の物理化学的状態にない場合に前記製品の完全使用を物理的に防止するようなやり方で、少なくともその１つの表面に沿って、前記接着剤混合物を介し前記製品の１つまたは複数の部分または前記保護構造の他の部品と接触するように構成される、保護構造と、を有する第２のロックと、を含む製品ロックアセンブリであって、
前記第１のロックは、前記第２のロックがその第２の物理化学的状態にあると前記接着剤混合物はその第１の物理化学的状態にあるように構成され、
前記第１のロックの前記接着剤混合物は、前記第２のロックの前記第２の物理化学的状態から前記第１の物理化学的状態への遷移とは異なる送信エネルギープロフィールが印加されると、前記第１の物理化学的状態から前記第２の物理化学的状態への遷移を引き起こす、アセンブリ。
【請求項１９】
送信エネルギーが印加されると第１の物理化学的状態から第２の物理化学的状態に遷移できるように配合されたエネルギー剥離可能接着剤混合物を含む接着層であって、上面と底面を有する、接着層と；
前記接着層の前記底面に積層されたエネルギー分配器／変換器であって電気および／または磁気抵抗率により特徴付けられた導体材料で作られたエネルギー分配器／変換器と；
前記製品の少なくとも一部と相互作用するように構成された保護構造であって、前記接着剤がその第１の物理化学的状態にあってその第２の物理化学的状態にない場合に前記製品の完全使用を物理的に防止するようなやり方で、少なくともその１つの表面に沿って、前記接着剤混合物を介し前記製品の１つまたは複数の部分または前記保護構造の他の部品と接触するように構成される、保護構造と、を含むロック。
【請求項２０】
それぞれがエネルギー反応性接着材料層と導電性または非導電性基板との積層物を含む２つ以上のロック素子であって、前記接着材料はエネルギー源に晒されると物理化学的特性が第１の物理化学的状態から第２の物理化学的状態に変化し、前記接着材料層に積層されない前記基板表面はさらに、エネルギー非反応性接着剤に積層される、ロック素子と；
製品の少なくとも一部と相互作用するように構成された保護構造であって、前記接着剤がその第１の物理化学的状態にあってその第２の物理化学的状態にない場合に前記製品の完全使用を物理的に防止するようなやり方で、少なくともその１つの表面に沿って、前記ロック素子を介し前記製品の１つまたは複数の部分または前記保護構造の他の部品と接触するように構成される、保護構造と、を含む遠隔活性化ロックシステムであって、
第１のロック素子は、第２のロック素子がその第２の物理化学的状態にあると前記接着剤混合物はその第１の物理化学的状態にあるように構成され、
前記第１のロック素子の前記接着剤混合物は、前記第２のロック素子の前記第２の物理化学的状態から前記第１の物理化学的状態への遷移とは異なる送信エネルギープロフィールが印加されると、第１の物理化学的状態から前記第２の物理化学的状態への遷移を引き起こす、システム。
【請求項２１】
２つの基板間のエネルギー剥離可能接着剤ロックの接着破壊を所望のエネルギープロフィール範囲内の１つまたは複数のエネルギープロフィールに合わせる方法であって、
（ａ）２つの基板表面同士をロックするのに望ましいエネルギー剥離可能接着剤質量を得る工程であって、前記接着剤質量は、前記基板間の接着破壊を引き起こすために前記所望のエネルギープロフィール範囲内の最低のエネルギープロフィール以上の１つのエネルギープロフィールを必要とする、工程と；
（ｂ）電気的または熱的伝導性材料を前記接着剤質量の表面の外部におよび／または前記質量全体にほぼ均一に適用することにより、前記接着剤を電気的または熱的伝導性材料の量子に関連付ける工程と；
（ｃ）前記基板間のロックの接着破壊が１つまたは複数のエネルギープロフィールにおいて破壊しているかどうかを判断するために前記接着破壊を引き起こすのに必要なエネルギープロフィールを測定する工程と；
（ｄ）前記ロックの前記接着破壊が前記所望エネルギープロフィール範囲内の前記１つまたは複数のエネルギープロフィールにおいて生じるまで工程（ｂ）、（ｃ）を繰り返す工程と、を含む方法。
【請求項２２】
内部空洞を画定する容器であって、側壁と底面と上面を画定する開口とを有する、容器と；
前記容器の前記内部空洞にぴったりとしかし着脱可能に嵌る大きさに作られたスリーブであって、端子開口を備えた格納空洞を有する、スリーブと；
前記容器の前記底面に接して配置された接着組成物および／または構造であって、外部印加エネルギーの特定のプロフィールに晒されると接合剥離することにより特徴付けられた、接着組成物および／または構造と、を含む装置。
【発明の詳細な説明】
【技術分野】
【０００１】
関連出願の相互参照
本出願は、２００９年５月２２日出願の米国仮特許出願第６１／１８０，７１４号、２００９年５月２２日出願の米国仮特許出願第第６１／１８０，７１９号、２００９年８月６日出願の米国仮特許出願第６１／２３１，９５２号、２００９年９月１４日出願の米国仮特許出願第６１／２４２，３５１号、２００９年９月３０日出願の米国仮特許出願第６１／２４７，４８３号、２００９年１０月５日出願の米国仮特許出願第６１／２４８，７９１号、２００９年１１月１６日出願の米国仮特許出願第６１／２６１，６１９号、２００９年１２月１０日出願の米国仮特許出願第６１／２８５，２８５号、２０１０年１月６日出願の米国仮特許出願第６１／２９２，６０６号、２０１０年２月１日出願の米国仮特許出願第６１／３００，２５７号、２０１０年３月８日出願の米国仮特許出願第６１／３１１，４７１号、および２０１０年４月２日出願の米国仮特許出願第６１／３１２，７５８号の米国特許法第１１９条（ｅ）に基づく優先権を主張し、それらの全体を参照により本明細書に援用する。
【０００２】
本発明は一般的には、ロックの物理的操作の無いロック解除および／またはロック動作を可能にするように設計された遠隔活性化ロック（ｒｅｍｏｔｅ−ａｃｔｉｖａｔｉｏｎ  ｌｏｃｋ）に関する。より具体的には、本明細書に記載の遠隔活性化ロックの実施形態は、ロックが活性化された（すなわちロックされた）構成であるときに、製品に関連した１つまたは複数の便益にアクセス可能にさせないようにすることによりこれら便益を拒絶するように使用されてもよい。このようなロックは、ロック機構が非活性化（すなわちロック解除）されない限り製品を販売に不適当にするあるいは販売に望ましくなくするために適用されてもよい。遠隔活性化ロックの実施形態は選択電磁気放射またはプロフィールの印加により非活性化または活性化されてもよい。上述の遠隔活性化ロックは、例えば広域スペクトル放射を使用することによりロックシステムを妨害しようとするときに正しい送信以外のものが使用されてロックの状態を変化させるとその作用を互いに打ち消す活性化部品と非活性化部品の両方を含んでもよい。
【背景技術】
【０００３】
製品を製造し出荷する多くの企業が直面する著しく困難な課題はそれら製品の盗難、不正使用、または海賊行為である。Ｈａｙｅｓ  Ｉｎｔｅｒｎａｔｉｏｎａｌ  Ｒｅｓｅａｒｃｈ  Ｒｅｔａｉｌ  Ｔｈｅｆｔ  Ｓｕｒｖｅｙによると、２００８年に、世界中の小売り業者は盗難の直接的結果として８７０億ドル以上損失し、その結果として損失予防方法に２５０億ドル以上費やした。損失は、製造業者の現場からの盗難、積荷盗難および流通網横流しによっても被る。このような損失は盗難による小売り損失に匹敵すると考えられる。
【０００４】
盗難による製造業者、流通業者、積送人、および小売り業者が被る損失のために、各々は盗みを減らすために多くの技術に取り組み始めた。これらの技術の多くは、高度にセキュアな容器（製品を従業員、積送人および顧客が直接手に届かないようにする容器）内に製品を隔離することを伴う。このような技術に関する問題は、試験目的、在庫管理目的、および販売目的のために実際の製品にアクセスすることがしばしば有利であるということである。例えば、プロの販売促進者らは、直接アクセスが顧客に提供されれば陳列台内にまたはその後ろに収容されている製品の販売を大いに改善できるだろうと広く信じている。このような「オープン販売促進：ｏｐｅｎ  ｍｅｒｃｈａｎｄｉｓｉｎｇ」は、音楽プレーヤー、撮像安定化多焦点カメラ、ゲーム、および映画ディスク等の個人用、カスタマイズ可能、または没入型製品の「ハイタッチ：ｈｉｇｈ−ｔｏｕｃｈ」マーケティングに特に適切である。本発明の目的の１つは、万引きからこれらの商品を保護する一方で、オープン販売促進を行う権限を小売業者に与えることである。
【発明の概要】
【発明が解決しようとする課題】
【０００５】
電子装置および電子装置のアクセサリがますます小型化されるにつれ、高価値製品をポケットにこっそり入れることがより容易になった。したがって、盗難損出は増大するだけと予想される。
【課題を解決するための手段】
【０００６】
本明細書で開示するのは、いくつかの実施形態では、限定するものではないが電子装置、電子装置アクセサリ（電子読み出し可能媒体等）および消耗品を含む製品（集合的に「製品群」と呼ぶ）への不正アクセスおよび／またはその使用（および／または完全便宜使用）を防止するように構成された遠隔活性化ロックである。一実施形態では、このようなロックは、規定送信範囲を受信すると物理的特性が変化する送信感応接着システム（ｔｒａｎｓｍｉｓｓｉｏｎ−ｓｅｎｓｉｔｉｖｅ  ａｄｈｅｓｉｖｅ  ｓｙｓｔｅｍ）を採用する。いくつかの実施形態におけるこのような変化は、ロックまたはロックの一部をロックまたはロック解除するために使用される体積の変化または接着性の変化を伴う。
【０００７】
本開示の遠隔活性化ロックは、そのロック状態において、製品にあるいは製品を覆う囲いケースに物理的に接着されてもよい。このようなロックは、意図したように、製品が使用または完全に使用されるのを防止するように配置されてよい。ロックの解除は外部から印加される刺激によってもよく、また有利な実施形態ではロックの解除は規定された波長、強度、および／またはパルススペクトルのロックへの電磁気送信を介してもよい。好適な刺激はまた、磁気的または電気的刺激を含んでもよい。本開示の遠隔活性化ロックは２つ以上のロック部品を有するアセンブリを含む。
【０００８】
接着システムがロックシステムにより使用される場合、このようなシステムは１つまたは複数の接着材料を含んでもよい。接着剤全体にわたる送信のエネルギーの分配を達成するために、接着剤は、任意の接着層の１つまたは複数の表面に関連付けられてよいおよび／または接着剤自体内に一様または非一様に分配されてよい１つまたは複数のエネルギー分配部品をさらに含んでもよい。このようなエネルギー分配部品は例えば送信を受ける金属層または金属量子ドットを含んでもよい。エネルギー分配部品は、機能的には、電波送信を熱に変換するなど傍受された送信エネルギーを第２の形式のエネルギーに変換してよく、したがってエネルギー変換器として機能する。第２の形式のエネルギーは、ロック動作またはロック解除を可能にする接着剤組成物の物理的特性の変化を引き起こしてもよい。したがって、接着剤の１つまたは複数の物理的特性（接着性、接着強度、密度等）の変化がロックアセンブリをロック解除するために使用されてもよい。
【０００９】
いくつかの実施形態では、遠隔活性化ロックは、非限定的な例として再ロック能力とスプーフィング防止（ａｎｔｉ−ｓｐｏｏｆｉｎｇ）（すなわち、ロックをロック解除する不正な企ての防止）能力を提供してよい追加のロック部品を含んでもよい。例えば、第１のロック部品は、特定のエネルギー送信に晒されると密度が変化し（例えば、ｘの波長に晒されると同じ質量の接着材料に対し体積が増加し）この密度変化がロック解除を誘導する接着システムを含んでもよい。第２のロック部品は、接着状態に活性化される接着システム、すなわちｙの波長に対する露出など特定のエネルギー送信に晒されると密度変化が生じロック部品がロックする接着システムを含んでもよい。したがって認可（正しいロック解除送信の知識）無くロックシステムを回避しようとして広範囲の送信に対する露出がなされた場合、第２のロックは製品をロックしたままにさせようとしてもよい。第２のロックは、周波数帯域全体にわたる走査が製品にかなりの危害を加えるように、認可プロフィールを挟み込むように配置されたハッキング防止ゾーンに入る周波数を有する場（ｆｉｅｌｄ）に反応するように設計されてもよい。
【００１０】
いくつかの実施形態における本開示の遠隔活性化ロックは、保護したい製品におよび／または製品を囲む任意の保護物理構造（製品ブリスターパック等）に固定されてもよい別個のモジュールとして実施されてもよい。別の実施形態では、遠隔活性化ロックは製品または製品包装内に組み込まれてもよい。
【００１１】
したがっていくつかの実施形態では、遠隔活性化ロックは、ロック機能／ロック解除機能を有効にするために規定プロフィールを有する磁気、電気または電磁場の印加を必要とすることにより（すなわち、例えばロック接着システムの組成物に基づき）安全性を提供する。遠隔活性化ロックの構成とその構成ロック素子とが、操作に必要な場プロフィールを判断する。各ロックまたはロック群の構成は、その特性が秘密にされた一意的なプロフィールに反応しこれによりロックのセキュア「キー」を実施するように設計されてもよい。規定プロフィールとしては、限定するものではないが、場のタイプ、周波数、場の強度、電力レベル、および時間波形特徴の仕様が挙げられる。いくつかの実施形態については、それぞれが異なるプロフィールを有する一連の場がキーの属性として予想される。代替案として、あるいはそれに加え、それぞれが異なるプロフィールを有する複数場の同時印加がキーとして必要かもしれない。キーの追加要素が、場キー（ｆｉｅｌｄ  ｋｅｙ）の印加の特定物理的配向の要件であってもよい。
【００１２】
ロック解除する（および／またはロックする）ために必要なセキュアキーとして有利に選択された送信を使用することにより、ロック状態の変化を引き起こすための製品、ロック、またはさらには外部製品包装との物理的接触の必要性をなくすことができる。非光場セキュリティキーを採用する実施形態では、遠隔活性化ロックは外部製品包装の外側で視認される必要はない。ロック解除のための物理的接触の必要性が無いことはまた、保護製品の潜在的汚染の管理を容易にする。
【００１３】
遠隔活性化ロックはまた、ロックをスプーフ（すなわち不正ロック解除）する企てに打ち勝つための特徴を含んでもよい。スプーフ企ての例としては、規定の場プロフィールの特徴に準拠しない環境または外部場に対する露出が挙げられる。ロックは、ロックを物理的に（すなわち機械的に）取り外す不正な企てに応答して保護製品に物理的損害を加える構成素子をさらに含んでもよい。
【００１４】
一実施形態では、製品の使用を防止するように構成されたアクセス遮断構造に保護対象製品が遠隔活性化ロックアセンブリにより取り付けられる便益拒絶システム（ｄｅｎｉａｌ−ｏｆ−ｂｅｎｅｆｉｔｓ  ｓｙｓｔｅｍ）が開示される。遠隔活性化ロックは、製品とアクセス遮断構造間の接着層を形成する接着ロック素子（ａｄｈｅｓｉｖｅ  ｌｏｃｋ  ｅｌｅｍｅｎｔ）を含んでもよい。アクセス遮断構造は、そのように接着された場合、製品を取り外す不正な企てが製品に修復不能損傷をもたらすように構成されてもよい。規定プロフィールを有する場に晒されると、製品と保護構造間の接着層は弱められ、これにより未損傷製品の安全な取り外しを可能にする。例えば、キャップは、サムドライブとキャップとを分離できなくしこれによりサムドライブとコンピュータポータルとの相互作用を防止するように、サムドライブまたは他のＵＳＢポータルアクセサリ（または別のコンピュータポータルを介し相互作用する電子アクセサリ）に接着されてもよい。キャップはさらに、キャップが何らかの力により取り外されるとサムドライブポータル連接部（ｔｈｕｍｂ  ｄｒｉｖｅ  ｐｏｒｔａｌ  ａｒｔｉｃｕｌａｔｉｏｎ  ｐｏｒｔｉｏｎ）を損傷する構造を有するように、サムドライブとの連接面（ａｒｔｉｃｕｌａｔｉｎｇ  ｓｕｒｆａｃｅ）上に構成されてもよい。したがって正しい場露出によるロックの活性化は、サムドライブの機能へのアクセスを許可するのに重要となるであろう。
【００１５】
追加の実施形態では、遠隔活性化ロックは、製品と従来の製品包装間の接着層を形成する接着ロック素子を含む。従来の製品包装は例えば、ジャーまたは瓶のキャップ、ポンプの蓋、ブリスター層と裏地層とを接着することにより形成されたブリスターパックを含んでもよい。規定プロフィールを有する場に対する露出は、接着ロック素子接合を弱めこれにより内蔵製品へのアクセスを可能にする。
【００１６】
別の実施形態では、遠隔活性化ロックシステムは複数のロック部品を含んで採用されてもよい。このような複数のロック部品は、接着剤の状態に基づいてラッチがラッチされるかラッチ解除されるかに影響を与えることができるように機械的ラッチ機構に関して配置された接着剤の状態に基づき有効性をラッチする際に変更される機械的ラッチ機構を有する１つまたは複数の部品を、含んでもよい。１つの構成では、機械的ラッチ機構はアクセス遮断構造を保護対象製品にしっかりと固定する。初期のロック設置中、機械的ラッチ機構は製品に容易に取り付け可能であるが、不正な取り外し企ては製品に修復不能な損傷をもたらすだろう。規定プロフィールを有する場に対する露出は、ロックアセンブリ内に設置された接着ロック素子に機械的ラッチ機構を解除させこれにより未損傷製品をロックアセンブリから解放する。
【００１７】
一実施形態では、規定場に対する露出は、接着ロック素子接合を完全に解放させ、追加の機械的力を印加することなく分離を可能にする。他の実施形態では、接着ロック素子は場に対する露出に応答して弱まるだけとなるように構成されてもよい。ここでは製品にアクセスするためには追加の外部機械的力を印加しなければならない。例えば、遠隔活性化ロックは、１つまたは複数のエネルギー分配部品（エネルギー変換器部品であってよい）の有無に関らず、２つの部品を結合して製品を囲むブリスターパックとする送信敏感接着剤（ｔｒａｎｓｍｉｓｓｉｏｎ  ｓｅｎｓｉｔｉｖｅ  ａｄｈｅｓｉｖｅ）を含んでもよい。ブリスターパック内の製品を、接着剤を活性化して低接着性の状態にする送信に露出することにより、ブリスターパックは消費者によりより簡単に開くことができる（はさみを取り出してブリスターパックを切り離す必要性を回避する）。
【００１８】
本開示のさらに別の遠隔活性化ロックでは、電荷を保持することができる２つの基板間の電気的剥離可能接着剤（ｅｌｅｃｔｒｉｃａｌｌｙ−ｒｅｌｅａｓａｂｌｅ  ａｄｈｅｓｉｖｅ）を利用する。１つのこのような実施形態では、電気的剥離可能接着剤は、このような基板を接着剤の表面に接着することができるポリマーであってその少なくとも１つが極性でありかつその少なくとも１つが無極性である複数のポリマーを含む。例えば、このような電気的剥離可能接着剤は、例えば導電性塩、金属粒子、金属配線、ナノワイヤおよびカーボンナノチューブの１つまたは複数からなる群から選択された１つまたは複数の導電性材料をさらに含んでもよい。極性および無極性ポリマーと導電性材料とを適切に選択することにより、外部からの電気的および／または磁気的エネルギー（「電磁気エネルギー」）の印加に応答して第１の状態から第２の状態へ遷移することができる電気的剥離可能接着剤組成物を提供してもよい。外部エネルギーは、印加電圧などの電磁気エネルギーの特定プロフィールであってもよい。一実施形態では、第１の状態は第１の接着状態であり第２の状態は第２の接着状態であり、例えば第１の接着状態は第２の接着状態とは異なる密度を有する。
【００１９】
電気的剥離可能接着剤はまた、一実施形態では、複合磁歪／電歪層（「ＭＥ複合物」）を採用した遠隔活性化ロックに使用されてもよい。このような実施形態では、接着剤は、このような基板を接着剤の表面に接着することができるポリマーであってその少なくとも１つが極性でありまたその少なくとも１つが無極性である複数のポリマーを含む。上記電気的剥離可能接着剤は例えば、導電性塩、金属粒子、金属配線、ナノワイヤおよびカーボンナノチューブの１つまたは複数からなる群から選択された１つまたは複数の導電性材料を含んでもよい。ロックおよび／またはロック解除に使用される外部エネルギーは、電磁気エネルギーの特定プロフィールであってもよい。一実施形態では、第１の状態は第１の接着状態であり第２の状態は第２の接着状態であり、例えば第１の接着状態は第２の接着状態とは異なる密度を有する。
【００２０】
さらに、いくつかの実施形態では、遠隔活性化ロックシステムが解放された後製品上には残留物が残されていないかもしれない。１つの非限定的実施例では、残留物が存在しないことは、電気的剥離可能接着剤が直流すなわちＤＣバイアス場に付されると達成され、製品は導電性であるか、あるいは製品はその上の導電性膜を特徴とし、保護構造は導電性であるか、あるいは保護構造はその上の導電性膜を特徴とし、製品またはその膜と保護構造またはその膜はそれぞれ陽極（正電荷に接続される）と陰極（陰電荷に接続される）として機能する。この例では、５００倍を越える倍率で顕微鏡検査を行っても、剥離後、陽極表面には接着性残留物が無いと考えられる。別の実施形態では、残留物は剥離後の製品に残されてもよい。一実施形態では、ロック解除された後に視認できる識別マークがロックに組み込まれてもよい。識別マークは例えば「購入の有効証明：Ｖａｌｉｄ  Ｐｒｏｏｆ  ｏｆ  Ｐｕｒｃｈａｓｅ」等の語句であってもよい。
【図面の簡単な説明】
【００２１】
本明細書に組み込まれ本明細書の一部を構成する添付図面は、本発明の実施形態の様々な態様を例示し、実施形態を本明細書と共に説明する役目を果たす。
【００２２】
【図１】単一のエネルギー変換器基板を含むとともに保護製品と保護構造間に接合を形成する例示的接着ロック素子の簡略図である。
【図２】二重エネルギー変換器基板を含む例示的接着ロック素子であって、規定場に晒されるに先立って保護製品と保護構造間に接合を形成する例示的接着ロック素子の簡略図である。一実施形態では、二重エネルギー変換器基板は、電圧を、２つの基板間と電気的剥離可能接着剤により充填された隙間両端の電界に変換するように構成される。
【図３】２つのロック素子を含む遠隔活性化ロックの簡略図である。第１のロック素子は、図１に示すように、規定場に対する露出によりロック解除されこれにより製品を安全に解放し得る保護製品／保護構造接合を形成してもよい。第２のロック素子は、非規定場に晒されると製品を保護構造に恒久的かつ不可逆的に接着し、これにより不正アクセスから製品を保護するスプーフィング防止型である。いくつかの実施形態では、追加のロック能力を提供するために３つ以上のロック素子が直列または並列に組み合わせられてもよい。
【図４】規定場に晒されると１つまたは複数のロック素子により活性化される機械機構を含む遠隔活性化ロックアセンブリの簡略図である。
【図５ａ】保護対象光ディスクと遠隔活性化ロックアセンブリの部品の絵画的図である。
【図５ｂ】設置された遠隔活性化ロックアセンブリを有する保護対象光ディスクの絵画的図である。
【図６】キャップ部品間の係合を示す遠隔活性化ロックアセンブリの破断面の概略図である。
【図７】ロック解除を示す遠隔活性化ロックアセンブリの破断面の概略図である。
【図８】追加のスプーフィング防止ロック素子を示す遠隔活性化ロックアセンブリの破断面の概略図である。
【図９】昇降手段が接着ロック素子で置換された別の実施形態を示す遠隔活性化ロックアセンブリの破断面の概略図である。
【図１０】保護電子機器のＵＳＢコネクタにロックされた遠隔活性化ロックアセンブリの単純化概略破断面図である。
【図１１】保護電子機器のＵＳＢコネクタからロック解除された遠隔活性化ロックアセンブリの単純化概略破断面図である。
【図１２】保護電子機器のＵＳＢコネクタにロックされた遠隔活性化ロックアセンブリの単純化概略破断面図である。ロック解除する不正な企てから起こり得るように、非規定場または条件による活性化後のラッチレバーの上部に位置する膨張したロック素子が示される。
【図１３】保護電子機器のＵＳＢコネクタにロックされた遠隔活性化ロックアセンブリの単純化概略破断面図である。ラッチレバーとプラットフォーム間の接合を形成しこれによりロックアセンブリの安全な除去を防止するラッチレバーの下に位置する接着ロック素子を示す。
【図１４】処方薬に好適な、ねじ蓋容器の内容物を保護するように設計された遠隔活性化ロックシステムの単純化概略図である。
【図１５】遠隔活性化ロックの素子を内蔵するねじ搭載容器上部を有する容器の単純化描写である。
【図１６】ロック状態における図１５の容器の単純化断面図である。
【図１７】ロック解除状態における図１５の容器の単純化断面図である。
【図１８】メッシュ容器として構成された遠隔活性化ロックの簡略図である。
【図１９】図１８のメッシュ容器に組み込まれた遠隔活性化ロック機構の概略図を示す。
【図２０】２つの遠隔活性化ロックメッシュ容器の実施形態を示す。
【図２１】図１８のメッシュ容器に組み込まれた遠隔活性化ロック機構の概略図の水平方向断面図を示す。
【図２２】２つの図における電気的剥離可能接着層を採用した遠隔活性化ロックユニット実施形態の概略図であり、１つの図はロックユニットがロックされた位置にあり（図２２Ａ）、他の図はロックユニットが、電気的剥離可能接着層の側面にある２つの基板両端への印加電圧の印加により引き起こされたロック解除位置にある（図２２Ｂ）。
【図２３】電気的剥離可能接着剤を採用する別の遠隔活性化ロックユニット実施形態の概略図であり、実施形態の印加電流プロフィールを示す。
【図２４】遠隔活性化ロックシステムのアーキテクチャの単純化実施形態を示す。
【図２５】それぞれが共通のサブシステムレベルアーキテクチャを共有してもよい活性化、非活性化および再活性化処理サブシステムのシステムアーキテクチャの実施形態の単純化概略図である。
【図２６Ａ】アセンブリ内にロックされたメモリーカードを含む例示的遠隔活性化ロックアセンブリの概略図である。
【図２６Ｂ】適切なエネルギープロフィールを有する外部刺激に晒された後のロック解除された後の例示的遠隔活性化ロックアセンブリの概略図である。
【発明を実施するための形態】
【００２３】
いくつかの実施形態では、１つまたは複数の遠隔活性化ロック部品を含む遠隔活性化ロックアセンブリが提供される。遠隔活性化ロックアセンブリは、製品の使用をロックするあるいは製品の完全使用をロックすることにより製品への不正アクセスを防止するために採用されることができる。いくつかの実施形態では、遠隔活性化ロックアセンブリは、製品の使用／完全使用を防止するやり方で製品に物理的に取り付けられる。他の実施形態では、遠隔活性化ロックは、製品を覆う構造の一部（例えばブリスター包装材料）であるか、あるいは製品の完全な便宜へのアクセスを制限する構造の一部を囲む。遠隔活性化ロックアセンブリは、製品自体に結合された別のモジュールとしてあるいは製品に結合された構造として実装されてよい。遠隔活性化ロックアセンブリはまた、製品の一部をあるいは製品と一体化された製品包装を形成してもよい。
【００２４】
いくつかの実施形態のロック部品は、１つまたは複数の送信活性化可能接着（ｔｒａｎｓｍｉｓｓｉｏｎ  ａｃｔｉｖａｔｉｂｌｅ−ａｄｈｅｓｉｖｅ）ロック素子および／または送信活性化非接着（ｔｒａｎｓｍｉｓｓｉｏｎ  ａｃｔｉｖａｔｉｂｌｅ−ｎｏｎ−ａｄｈｅｓｉｖｅ）ロック素子を含んでもよい。ロック部品は、製品の使用または完全使用を妨害する機械機構と構造をさらに含んでもよい。
【００２５】
ロックアセンブリは、適切なエネルギーまたはエネルギーのプロフィールにより活性化されると、１）アセンブリに関連した１つまたは複数のロックがロック状態からロック解除状態に移る、２）アセンブリに関連した１つまたは複数のロックがロック解除状態からロック状態に移る、３）１つまたは複数のロックがロック状態からロック解除状態に移り、同時にまたは別の時刻に、アセンブリに関連した１つまたは複数のロックがロック解除状態からロック状態に移る、ように設計されてもよい。
【００２６】
いくつかの実施形態では、ロック機能／ロック解除機能のそれぞれの作動には、セキュアキーとして機能する規定プロフィールを有する場（または場群）等の送信の印加を必要とする。セキュアキーは、例えば、規定プロフィールを有する磁場、電場、電磁場、光場、音場の１つまたはそれらの組み合わせを含んでもよい。規定プロフィールは、限定するものではないが、場のタイプ、周波数、場の強度、電力レベルおよび時間波形特徴の仕様を含んでよい。いくつかの実施形態については、それぞれが異なるプロフィールを有する一連の場がキーの構成要素を含む。さらに、それぞれが異なるプロフィールを有する複数場の同時印加がキーとして必要かもしれない。キーの追加要素が、場キー（ｆｉｅｌｄ  ｋｅｙ）の印加の点または配向の要件であってもよい。
【００２７】
本明細書の開示内容により理解されるであろうように、遠隔活性化ロックの構成とその構成ロック素子が、操作に必要な場プロフィールを判断してもよい。各ロックまたはロック群の構成は、その特性が秘密にされた一意的なプロフィールにだけ反応しこれによりロックのセキュアキーを実施するように設計されてもよい。
【００２８】
ロック／ロック解除操作の規則正しい順序を提供する遠隔活性化ロックアセンブリ実施形態については、各順序の操作は一意的場プロフィールの印加を必要としてもよい。一意的場プロフィールの対応順序は、順序の初期に必要とされる一意的なプロフィールがその後の順序工程を時期尚早に活性化しないように構成されなければならない。
【００２９】
いくつかの実施形態では、ロック機能のいくつか（またはすべて）が規定環境条件により活性化あるいは交互に活性化されてもよい。このような条件の例としては、限定するものではないが、温度、湿度、加速、力印加が挙げられる。
【００３０】
遠隔活性化接着ロックの実施形態の「ビルディングブロック」は、送信により印加され得る規定エネルギーに晒されると化学的または物理的特性（「化学物理的特性」）が変化する接着剤である送信活性化可能接着剤であってよい。化学物理的特性の変化は、ロック状態からロック解除状態へあるいはロック解除状態からロック状態への変化をもたらすために変化を使用することができる程度のものでなければならない。
【００３１】
接着剤組成物は、電気信号、磁場、電磁波、光または熱等のエネルギーの送信などの特定のエネルギーに応答してその物理的特性の少なくとも１つを著しく変化（すなわち状態変化）させるように作製されてもよい。影響を受ける物理的特性は、限定するものではないが、外形寸法、体積／密度、接着性、張力、圧縮強度、剪断強度を含んでもよい。
【００３２】
いくつかの実施形態では、接着ロック素子は、複合構造を形成するために、エネルギー分配器および／またはエネルギー変換器と一体化された接着剤組成物を含む。一体化されたエネルギー分配器は接着剤を介しエネルギーを分配するのを助ける。一体化されたエネルギー分配器は、特定の外部印加エネルギー（電磁波等）を、接着剤の状態の変化に少なくとも部分的役割を負う第２の型のエネルギー（熱エネルギー等）に変換する変換器としてさらに作用してもよい。
【００３３】
遠隔活性化ロックは、単一または複数のロック素子を採用することによりロック動作／ロック解除／再ロック動作／スプーフィング防止特徴の任意の所望の組み合わせを提供するように構成されてもよい。ロック素子は、素子の各グループ分けが表面間の界面を形成する並列に、あるいはロック素子のグループ分けが表面間のサンドイッチとして構成される直列に、構成されてもよい。いくつかの実施形態では、遠隔活性化ロックは、ロック素子の直列および並列グループ分けの両方を含んでもよい。
【００３４】
図１に示すのは、遠隔活性化アセンブリにおいて使用されてもよい遠隔活性化接着ロック素子２の一実施形態である。遠隔活性化接着ロック素子２は、エネルギー変換器として機能する第１のキャリア基板６に接着された接着材料４の積層物を含む。第１のキャリア基板６は、例えばエネルギーを接着材料４の表面に導く導電性金属シート（アルミニウム、鉄、鋼、銅、金、白金箔等）であってよい。遠隔活性化接着ロック素子２は、製品３の表面を接着材料４の１つの表面に沿って接着しそして接着材料４の別の表面に沿って保護構造５に接着して示されている。このような実施形態における外部印加場への第１のキャリア基板６の露出は渦電流を引き起こす。渦電流は金属シートの抵抗により熱として放散される。放散された熱は、接着材料４の温度を上昇させ接着剤を製品３から剥離させる。
【００３５】
場管理および周波数応答は、磁場を変化させることにより影響を受ける粒子および／または膜の好適な選択により管理される。これらの材料は両方とも、渦電流を内部に誘導させることにより向きを変え、機能する。特に、これらの材料は、誘導電流の磁束の伝導および表皮厚さと材料の抵抗率とに依存して、異なる強度および周波数の場に対し劇的に異なる反応を有する。渦電流が第１のキャリア基板６内に誘導されると、渦電流は表皮効果に従ってシートの表面の近傍を流れる傾向があると考えられる。表皮効果は、電流フローに使用可能な金属シートの電気的断面積を、表皮厚さとして一般的に示される平均深さまで減らす。表皮厚さはδ＝（ｒ／（πμｆ））１／２として数学的に表される。ここで、ｒは抵抗率、μは透磁率［Ｈ／ｍ］、ｆは周波数である。これらは、限定するものではないが表１に示すように公知の材料から単独であるいは組み合わせて選択されてもよい。選択により、接着剤キーの周波数に対する感度の態様を与えてよい。これらの材料は層、膜または粒子として選択されてもよい。膜として、これらの材料は有利には名目上０．０００１インチ〜０．００１の厚さ、あるいは粒子としては接着剤の０．５％〜１０体積％であってもよい。様々な金属の透磁率の広いバラツキは、エネルギー変換器の表皮厚さとしたがって抵抗とが、金属膜を含む材料を選択することにより設計されることができるということを示す。渦電流フローにより発生した熱が、接着剤組成物の温度を上昇させて、これによりその特性（接着性等）の変化を引き起こしてもよい。生成された熱の量と結果として得られる温度は、部分的には、場の特徴、接着剤組成物の熱的特性、および金属シートの電気的特性により決定される。さらに、金属シートの物理的形状と寸法は、エネルギー変換器の周波数選択特性と熱分布特性を与えるように構成されてもよい。強磁性エネルギー変換器材料のための追加の加熱機構が生じる。外部から印加される交流磁場は、磁気ヒステリシスから熱を発生させる。ヒステリシスは、強磁性体内の要素磁石が外部から印加される逆転磁場に整合しようとするので生じる。
【００３６】
【表１】
2013506063.tif 000003
【００３７】
接着材料４が熱的条件よりむしろ静電界に応答して状態を変化させる場合、このような接着材料４は、保護構造５のロックの変化を製品３に与えるために使用されてもよい。例えば、基板６と６’に静電位が差動電圧により印加されると、イオン輸送が起こり、接着性の低下を引き起こす接着材料４の表面における反応を生じる。非限定的な例として、部品４に好適な電気的剥離可能接着材料はＥＩＣ  ＬａｂｏｒａｔｏｒｙのＥＲ  Ｅ−４接着剤である。この例では、接着剤は通常、２０〜１８０秒間ＤＣ９〜５０ボルトの電位差に付されると陽極表面から剥離する。ばね材料が電場を短絡しないあるいは剥離処理のイオン流れを妨害しないことを保証するように配慮した上で、この期間は、接着剤内にばねまたは同様の装置を埋め込むことにより速められてもよい。剥離は、２つの導電面間の短絡を引き起こすのに十分な電圧の印加により禁止されてもよい。このような短絡は、接着剤両端間の電圧勾配の印加を排除し、これにより接着性を恒久的にし、これによりシステムを攻撃する走査を行うハッカーを阻止するであろう。適切ならば、ハッカーを妨害し不正アクセスを防止するために、１つまたは複数の電気的剥離可能領域が採用され、従来のアバランシェまたはツェナーダイオードなどの単純なインテリジェンスにより、あるいは集積回路などのよりインテリジェントスイッチにより制御されてもよい。
【００３８】
剥離可能接着剤の追加実施形態では、少なくとも１つの極性ポリマーと少なくとも１つの無極性ポリマーとからなる少なくとも２つのポリマーと、導電性塩、金属粒子、金属配線、ナノワイヤおよびカーボンナノチューブの材料の１つまたは複数を含む導電性材料と、を含み、外部エネルギーの印加に応答し第１の状態から第２の状態へ遷移することにより特徴付けられた電気的剥離可能接着剤が開示される。外部エネルギーは、印加電圧などの電磁気エネルギーの特定プロフィールであってもよい。一実施形態では、第１の状態は第１の接着状態であり、第２の状態は第２の接着状態である。異なる状態は例えば、接着剤の物理的体積または接着強度の変化であってよい。
【００３９】
粒子または膜であってよい接着添加剤は、限定するものではないが、熱エネルギー転送を管理することによりおよび入力エネルギーの閾値を効果的に設定することによりキーの一部の形成を可能にする熱拡散係数を制御するために、表２から選択される。熱拡散係数はＤ＝λ／（Ｃｐρ）として数学的に表されてもよく、ここでＣｐは材料の比熱、λはその熱伝導率、ρはその密度である。したがって、特性の集合により与えられる特定の熱閾値に達するために、エネルギーと時間の極めて特別な比が必要とされる。特性差の大きさは、０．５％〜１０％の少量の材料添加が性能の根本的な差異を生じ得ることを意味する。
【００４０】
【表２】
2013506063.tif 000004
【００４１】
別の実施形態では、ＭＥ（磁歪／電歪：ｍａｇｎｅｔｏｓｔｒｉｃｔｉｖｅ／ｅｌｅｃｔｒｏｓｔｒｉｃｔｉｖｅ）層と、少なくとも１つの極性ポリマーと少なくとも１つの無極性ポリマーとからなる少なくとも２つのポリマーを含む接着層と、導電性塩、金属粒子、金属配線、ナノワイヤおよびカーボンナノチューブの材料の１つまたは複数を含む導電性材料と、を含む遠隔制御可能な剥離可能接着剤システムであって、外部エネルギーの印加に応じて第１の状態から第２の状態に遷移することにより特徴付けられたシステムが開示される。磁歪は、磁場に付されるとその形状または寸法を変化させる強磁性体の特性である。電歪は、電界の印加下でその形状を変化させるすべての電気的不導体または誘電体の特性である。外部エネルギーは電磁気エネルギーの特別のプロフィールであってよい。一実施形態では、第１の状態は第１の接着状態であり、第２の状態は第２の接着状態である。
【００４２】
別の実施形態における遠隔活性化接着ロックは、図２に示すように、サンドイッチ型遠隔活性化ロック１０を形成するために接着材料４を挟む２つのキャリア基板６と６’を含み、キャリア基板６は保護構造５に結合され、保護基板６’は製品３に結合される。キャリア基板６と６’が導電性基板である場合、２つの導電性基板はエネルギー変換器として機能してもよい。このエネルギー変換器は、加熱強化だけをまたは別の実施形態では静電界を提供するように機能する。ロックのセキュリティキーは、接着材料４の熱的特性および温度関連状態変化特性と組み合わせたエネルギー変換器の物理的および電気的特性により定義されてよい規定の場プロフィールにより実施されてもよい。
【００４３】
この実施形態の接着ロック素子のアプリケーションに好適な接着剤組成物の例は、接着剤と接着剤中に分散された非接着材料の粒子との混合物を含む。
【００４４】
実際の接着剤は、製造要件と製品ロック要件との組み合わせに基づき選択される。例えば、ロックアプリケーションに使用する適切な１つの「基本」接着剤は、Ｒａｙｍａｔ  Ｍａｔｅｒｉａｌｓ，Ｉｎｃ．３００８１  Ａｈｅｒｎ  Ａｖｅ，Ｕｎｉｏｎ  Ｃｉｔｙ製のＲａｙｍａｔ８３０３Ａ  ＵＶ硬化アクリル系粘着剤である。この接着剤は、名目上流体でありしたがって追加成分を好都合に添加することができるので便利である。この接着剤は、液体として、箔裏打ちに塗布され、ロールツーロール処理システムにおいて粘着状態を硬化させるために紫外線エネルギーが使用される。軽い力だけで剥がすことができる剥離ライナーが取り付けられる。この剥離ライナーは、接着剤が強力に付着しないパラフィン紙またはシリコーン膜と類似のものであってよい。これにより、擬似テープとして簡単な組み立てが可能となる。このテープは、例えばテープが強力に接着しているラッチを固定するロックアセンブリにおいて今や好都合に使用されることができる。しかしながら、取り付けと組み立ての便宜が課題ではなく強度が最重要である場合、エポキシアミン等の基本接着剤を使用することもできるであろう。
【００４５】
接着剤全体に分散した粒子が、接着材料の特性を変え、熱エネルギーをより効果的に分配するのを助け、および／または追加の第１のエネルギー源から第２のエネルギー源への変換機構（例えば、電磁エネルギーから熱エネルギー変換）を提供してもよい。さらに、他の分散された粒子が、外部印加場に応答して所望の物理的振る舞いを発揮してもよい。一実施形態では、分散された粒子は、接着剤中の熱の流れを強化または妨害する混合剤の熱伝導率特性を変更する役目を果たしてもよい。高熱伝導率により特徴付けられた金属粒子が熱の流れを強化し、非金属粒子が熱の流れを妨害してもよい。
【００４６】
別の実施形態では、外部印加場の周波数に共振する寸法を有する導電性粒子がエネルギー変換素子として機能してもよい。導電性粒子は、共振場により励起されると、例えば磁性粒子の音響共振により誘導された渦電流または摩擦効果の抵抗性放散によって熱を発生することがある。別の実施形態では、分散された粒子は外部印加場に対する露出に応答して物理的に膨張してもよい。分散された粒子の物理的膨張は、接着ロック素子接合の機械的破壊をもたらしこれによりロックを解放するだろう。
【００４７】
図１の別の実施形態では、ロック素子２はこの例示的ケースでは外部場プロフィールなどの選択した外部エネルギー源に対する露出前にかなりの接着性を欠くことにより特徴付けられる接着材料４を含む。このケースでは、選択した外部エネルギーに対する露出は、接着剤に保護構造５と製品３を強く接着させる接着材料４の接着性の増加を引き起こす。図１の別の実施形態では、接着材料４は、特定のエネルギー源に対する露出前の初期体積ｘとこのようなエネルギー源に対する露出後の体積ｘ＋ｙ（ここで、ｙ＞０）とにより特徴付けられる。体積の増加は接着材料４の接着性の破壊を伴いロック２を製品３から解放すると考えられる。
【００４８】
図３に図式的に示されるのは、２つのロック素子３２、３４を含む遠隔活性化ロックアセンブリ２８である。ロック素子３２は、製品の使用を防止する保護構造５に製品３の表面を接着する。ロック素子３２は、従来の接着剤４０により保護構造５に恒久的に取り付けられてもよい。好適な従来の接着剤の非限定的な例としては、エポキシ樹脂と熱硬化性プラスチックが挙げられる。ロック素子３２と製品３間の接合はエネルギー反応性状態変化接着材料（ｅｎｅｒｇｙ−ｒｅｓｐｏｎｓｉｖｅ  ｓｔａｔｅ  ｃｈａｎｇｅ  ａｄｈｅｓｉｖｅ  ｍａｔｅｒｉａｌ）４により形成される。ロック素子３２が接着される製品３の表面は、ロック素子３２の強制取り外しが製品３の使用を防止する損傷をもたらすように選択されてもよい。第２のロック素子を含むロック素子３４は、製品３と保護構造５間の第２の物理的界面を形成するように配置される。ロック素子３４はまた、従来の接着剤４０により保護構造５に恒久的に取り付けられてもよい。製品３とロック素子３４間の界面は、エネルギー反応性状態変化接着材料４と異なるエネルギーまたはエネルギープロフィールに反応するエネルギー反応性状態変化接着材料４’である。遠隔活性化ロック素子３２と３４のそれぞれは、外部印加エネルギーを別のエネルギーに（例えば、電磁波を熱に）変換するように構成された関連するエネルギー変換器６と６’を有する。１つのロック素子がロック位置にあり別のロック素子がロック解除位置にある場合、遠隔活性化ロックアセンブリ２８は、広域スペクトル送信を使用して不法な活性化（すなわち、保護製品上のロックを破ろうとする企て）を防止するのを助ける。すなわち、１つのロック素子が１つの送信でロックするように設計されている場合、多くの送信に対する広範な露出が、ロックされたロック素子を打ち破るかもしれないが、露出はまた、製品を使用することができないかあるいは十分には使用することができなくなるように他のロック素子に製品をロックさせてもよい。
【００４９】
例えば、製品３は、ロック素子３２が規定の場プロフィールに晒されるまで保護構造５に接着されたままであってよい。規定の場プロフィールに晒されると、ロック素子３２接合は解放され、これにより製品３を損傷なしに保護構造５から分離することができるようになる。非規定の場プロフィールに露出することにより製品３を取り外す不正な企てがなされると、ロック素子３４は活性化され、これにより保護構造５と製品３間の恒久的な接合を形成してもよい。非規定の場プロフィールが規定の場プロフィールを包含する状況では、ロック素子３４接合は、ロック素子３２接合が解放されても製品に対するアクセスを防止することができる。
【００５０】
本開示から理解されるであろうように、製品のロックを有効にするために、異なる構造をロック素子に連接することができる。例えば、連接レバーを使用する遠隔活性化ロックアセンブリ５０の実施形態を図４に図式的に示す。このような実施形態では、遠隔活性化ロックアセンブリ５０は複数ロック素子５２、５２’と機械機構ロック部品５４を含む。製品３’と保護構造５’間に接着層を形成するのではなく、ロックアセンブリ５０は、この場合ロックアセンブリ５０の筐体の内側延長部６２から旋回されるレバーに取り付けられたピンを含む非接着剤機械保持装置６０により製品３’に固定される。他の非限定的例示的保持装置６０は例えば、伸長／収縮可能ラッチ、爪、ピストン、および／または製品内に組み込まれた対応する容器と係合するピンを含んでもよい。機械保持装置６０は、遠隔活性化ロックアセンブリ５０を含む機械機構の操作により伸長または収縮されてよい。接着ロック素子５２は、規定の場プロフィールに付されると部品機械機構を作動するようにロックアセンブリ５０内に構成されてもよい。部品機械機構６２の作動は機械保持手段６０の拡張または収縮を引き起こし、これにより保護製品からの遠隔活性化ロックアセンブリ５０の安全な取り外しを可能にする。非規定の場プロフィールに付されると部品機械機構の作動を防止するように、追加のロック素子（不図示）がロックアセンブリ内に構成されてもよい。
【００５１】
さらに別の実施形態では、ＤＶＤ、ＣＤおよび他の記録媒体等の製品を保護するのに好適な遠隔活性化ロックアセンブリが開示される。図５ａに、２つのロックキャップ１００と１１０が保護構造として機能する１つのこのような記録媒体ロック遠隔活性化ロックアセンブリシステムを示す。図示のように、キャップ１００と１１０は光ディスク１０５の中央開口部１０２を通して係合するように構成される。図５ｂに、光ディスク１０５の中央開口部１０２内に固定された（すなわち、２つのキャップ１００と１１０が連結した）ロックされた遠隔活性化ロックアセンブリ１０４を示す。
【００５２】
図６に、ロックキャップ１００と１１０の可能なロックアセンブリを示す。このような例示的遠隔活性化ロックアセンブリ１０４では、キャップ１００と１１０はそれぞれ相互作用する機械機構１９０と２００を有する。同図に例示するように、相互作用するバネ装架ラッチシステムが見られる。ロックアセンブリ１０５は、多くの他の素子と共にこのような連結機械機構１９０と２００を含む。このような他の素子としては、図示のように、平坦でかつキャップ１００の表面に隣接するものとして示した機械的ロックアセンブリ１０５の内部に位置する恒久的接着剤組成物１２０が挙げられる。第１のエネルギー変換器１３０は、恒久的接着剤組成物１２０の上でかつ連接されたロック機構２００の内部に位置する。ロックアセンブリ１０５は、エネルギー変換器１３０の上に位置する状態変化接着剤組成物１４０の第２の層をさらに含み、また機械的ロック機構２００の内部にある。状態変化接着剤組成物１４０は、ロック動作またはロック解除に対して選択されたあるエネルギー源プロフィールに晒されると状態変化を受ける接着剤であり、恒久的接着剤組成物１２０は、ロック解除するために使用されるエネルギープロフィールに関係なく接着性を保つように設計された接着剤である。キャップ１１０は、嵌め合いバネ装架ラッチ（ｍａｔｉｎｇ  ｓｐｒｉｎｇ−ｌｏａｄｅｄ  ｌａｔｃｈ）により例示されるように嵌め合い機械ロック部品１９０を含む。図示のように、キャップ１１０はまた、機械的ロック機構１９０の内部に位置するとともに図示のように平坦でありかつキャップ１１０の表面に隣接する恒久的接着剤組成物１８０の層を有する。キャップ１１０は、図ではその直径が機械ロック部品１９０より小さく恒久的接着剤組成物１８０に隣接して配置された円筒状ノブとして示される突出昇降手段（ｐｒｏｔｒｕｄｉｎｇ  ｅｌｅｖａｔｏｒ）１７０をさらに含む。突出昇降手段１７０の底に隣接して（すなわち、キャップ１００に最も近い側に）、状態変化接着剤組成物１６０の別の層がある。第２のエネルギー変換器１５０は状態変化接着剤組成物１６０に隣接する。
【００５３】
恒久的接着剤組成物１２０と１８０は同じ接着剤であってもよいがそうである必要はない。例示的な接着剤としては、Ｒａｙｍａｔ  Ｍａｔｅｒｉａｌｓ  Ｉｎｃ．の３６８、４６８または５６８エポキシ樹脂が挙げられる。エネルギー変換器１３０と１５０は、限定するものではないが、アルミニウムと鋼あるいは透磁率とキュリー温度等の特定の磁気特性を有する磁性材料を含む導体箔または膜であってよい。例示的代表的磁性材料は１０１０鋼である。状態変化接着剤組成物１６０と１４０は、接着剤組成物１２０と１８０と同じまたは異なるエポキシ樹脂であって、所望のエネルギープロフィールが印加されると状態変化を可能にしロック機構の特定用途への調整を可能にするようにその成分が変更されたエポキシ樹脂（例えば、特定のエネルギープロフィールが印加されると体積が膨張し、これにより接着剤の接着層を壊す材料を含む）であってもよい。
【００５４】
キャップ１１０のロック部品１９０は、２つが機械的に連結するようにキャップ１００のロック部品２００の内部に嵌まる。ロック部品１９０と２００は状態変化接着材料１４０と一緒に固定される。キャップ１００と１１０間に実質的に壊れない接合を提供するエポキシ樹脂の重要な領域がある。例えば、０．２５インチの接合領域に広がる８，０００ｐｓｉの接着材料は、離れるのに２，０００ポンドの力を必要とすると考えられる。
【００５５】
図７に示すように、規定プロフィールを有する場に露出することにより遠隔活性化ロックアセンブリ１０４をロック解除させる。例示的実施形態では、第１のロックキャップ１００は、規定のエネルギープロフィールを受ける（例えば、ある温度に達する）と機械的ロック機構２００の内面および機械的ロック機構１９０の最下層外面から剥離する状態変化接着剤組成物１４０を含む。状態変化接着剤組成物１４０のよく知られた状態変化を引き起こすのに必要なエネルギープロフィールは、エネルギー変換器１３０と１５０による傍受電磁場の熱エネルギーへの変換など１つのエネルギー場を別のエネルギー場に変換することにより作用してもよい。図示のように、エネルギー変換器１３０と１５０は、接着剤組成物１４０の両面上に積層される。エネルギー変換器は例えば、電気伝導、熱伝導、発電（磁歪／電歪）、熱生成（誘導）、および／または光伝送を伴ってもよい。
【００５６】
ロックされたロックキャップ１００と１１０をロック解除する機構を、図７に概略的に示す。第２のロックキャップ１１０は、規定のエネルギープロフィールを有する場に付されると膨張する状態変化接着剤組成物１６０を含む。エネルギーは、エネルギー変換器１５０により接着剤組成物１６０に送られる。接着剤組成物１６０の膨張により、円筒状昇降手段１７０に鉛直力を印加し、昇降手段をキャップ１１０内に押し付け、矢印１７５により示すようにキャップ１１０の両側を下に曲げる。キャップ１１０の曲げは、矢印１８５により示すように内側ロック機構１９０を内側へ移動させる水平力を生成する。このときキャップ１１０をキャップ１００から分離することができる。
【００５７】
図８に示す実施形態に示す図６の遠隔活性化ロックアセンブリのスプーフィング防止特徴を提供するために追加ロック素子を加えてもよい。この実施形態に示すように、追加ロック素子は、例えばドーナツ形状を有し、キャップ１００の表面と直接接触し、キャップ１００の外径に位置する第３のエネルギー変換器２１０と、エネルギー変換器２１０層の上に直接配置された状態変化接着剤組成物の別の層２３０と、２つの他の層２１０と２３０に隣接するがキャップ１００の内径方向により近くに配置された状態変化接着剤組成物の別の層２２０と、を含む。
【００５８】
接着剤組成物２２０と２３０は、特定温度で硬化するホットメルト接着剤を含んでもよい。第３のエネルギー変換器２１０は、めっき、スパッタリングまたは他のやり方など任意の様々な方法により蒸着された導電性または磁性材料である箔または膜を含んでもよい。状態変化接着剤組成物２２０と２３０とエネルギー変換器２１０は、ロック解除するように意図されたエネルギープロフィールに晒されても目に付く程度に状態を変えないように構成される。例えば、このような組成物は、遠隔活性化ロックの認可されたロック解除のための規定場に付されても硬化に必要な温度まで熱くならない。しかしながら、規定場に準拠しない十分な電力場に対する露出は、ホットメルト接着剤２２０と２３０をディスクに恒久的に接着させ、装置をディスクに恒久的にロックし、その使用を妨げる。
【００５９】
本開示に包含される遠隔活性化ロックの他の実施形態は、限定するものではないが以下のものを含む。図９に表されるように、円筒状昇降手段１７０は削除され接着剤により置換されてもよい。遠隔活性化ロックのロック解除は、例えば接着材料だけの剥離による、あるいは接着材料だけを膨張させることによる、のいずれかによる単一の作動方法を含むことができるであろう。遠隔活性化ロックは、２つのエネルギー変換器１３０と１５０の代わりに１つのエネルギー変換器１３０を含むことができるであろう。エネルギー変換器１３０は、キャップ１００に一体化されることにより接着剤組成物１２０の必要性を無しにしてもよい。めっき、スパッタリングまたは任意の他の方法によりキャップ１００上にエネルギー変換器層を蒸着することができるであろう。円筒状昇降手段１７０は、導体箔よりむしろスパッタリングまたは任意の他の方法により蒸着された集積化エネルギー変換器を含んでもよい。
【００６０】
本開示の遠隔活性化ロックアセンブリはまた、部品と、それへのアクセスが部品またはユニットの使用に必要である接続ジャックまたはソケットを含む装置と、を保護するのに好適なようなアセンブリを含む。
【００６１】
１つのこのような実施形態では、遠隔活性化ロックは、操作に必要な嵌め合いＵＳＢコネクタ（ｍａｔｉｎｇ  ＵＳＢ  ｃｏｎｎｅｃｔｏｒ）の挿入を阻止するように電子装置の１つまたは複数のＵＳＢ（ユニバーサルシリアルバス）コネクタを物理的にロックする。遠隔活性化ロックアセンブリは、保護装置にロックされるとコネクタからロックを不正に取り外すためには破壊的力の印加を必要とするだろう。一実施形態では、遠隔活性化ロックをロック解除しようとする不正な企てが、ロックされたコネクタを使用不能にしてもよい。
【００６２】
図１０に、このような接続ジャックまたはソケット遠隔活性化ロックアセンブリ３００の実施形態の単純化概略図を示す。このような実施形態は、１つまたは複数のＵＳＢコネクタを含む電子機器の使用保護に好適である。遠隔活性化ロックアセンブリ３００は中空箱のような構造である装置筐体３１０を含む。中空箱は、内部空洞３２０を画定するともに、平坦な正面壁３３０および並列の平坦な裏面壁３４０と２つの側壁と１つの天井３５０と床３６０とを含む。平坦な正面壁３３０は面壁３３０を内部空洞３２０内に侵入させる矩形間隙３７０を画定する。矩形間隙３７０はＵＳＢコネクタ３９０の端子部分３８０の挿入を許容するように寸法決めされる。隆起プラットフォーム４００は内部空洞３２０内に配置され、平坦な裏面壁３４０から正面壁３３０に向かって延びる床３６０に平行な表面を形成する。ラッチレバーまたは爪４１０を含むラッチ４００は、プラットフォーム４００と裏面壁３４０との交点の近傍の内部空洞３２０内で蝶番的に取り付けられ、少なくとも２つの位置を取るように作動可能に構成される。閉位置では、ラッチレバー４１０はプラットフォーム４００に平行であり、ラッチレバー４１０は、遠隔活性化ロックとコネクタ３９０との分離を防ぐように、挿入された雄コネクタの端子部分３８０と係合する。開位置では、ラッチレバー４１０は、遠隔活性化ロックアセンブリ３００のコネクタ３９０からの安全な取り外しを許容するように端子部分３８０からラッチレバー４１０のヘッドを引き離すように、プラットフォーム４００から旋回されて離される。
【００６３】
作動時、ＵＳＢコネクタ３９０の端子部分３８０は装置筐体３１０の間隙３７０内に挿入される。ロック状態では、バネ装架であってよいラッチレバー４１０は、ＵＳＢコネクタ３９０の端子部分３８０の２つの孔にラッチされる。ロック状態では、過剰引っ張り（＞１００ポンド）がＵＳＢコネクタ３９０をＵＳＢ筐体本体４２０から分離させることになる。過剰力は、ラッチレバー４１０を回転させ、雄のＵＳＢコネクタ３９０の端子部分３８０に結合させ、端子部分３８０の銅トレースを引っ掻き、銅トレースを使用不能にする。ＵＳＢコネクタ３９０は、規定のエネルギープロフィールの適切な印加だけにより安全に取り外されてもよい。
【００６４】
ラッチレバー４１０の位置は、規定プロフィールを有する対応場に付されるとそれぞれが個々に活性化されてよい３つのロック素子４３０、４４０、４５０により制御される。
【００６５】
保護装置へのアクセス許可は剥離可能ロックアセンブリ３００により提供されてもよい。第１のロック素子４３０はラッチレバー４１０の下のプラットフォーム４００上に固定され、第１の規定プロフィールを有する場に付されると膨張する第１の接着剤組成物４６０を含む。第１のロック素子４３０は、第１の規定プロフィールを有する場により励起されると変換エネルギーを第１の接着剤組成物４６０に印加するエネルギー変換器４７０をさらに含む。第１のロック素子４３０は、第１の接着剤組成物４６０の膨張がラッチレバー４１０に力を印加してラッチレバー４１０を閉位置から開位置へ駆動するように構成される。
【００６６】
図１１を参照すると、ラッチレバー４１０のロック解除を引き起こすために規定の第１のプロフィールを有する場が印加される図１０の実施形態が示される。活性化エネルギーは、ＵＳＢコネクタ３９０の端子部分３８０を安全に取り外せるように接着剤組成物４６０を膨張させラッチレバーヘッド４８０を上昇させるエネルギー変換器４７０により受け取られる。第１の規定プロフィールを有する場の印加は、エネルギー変換器４９０によるエネルギーの大きな変換を引き起こさなく、したがって接着剤組成物５００の特性の変化をもたらさない。
【００６７】
保護装置に対する不正アクセスは、図１２に示す実施形態の追加ロック素子により防止されてもよい。第２のロック素子４４０は、ラッチレバーヘッド４８０の上のラッチレバー４１０上に設置され、第１の規定プロフィールに準拠しない場に付されると膨張する第２の接着剤組成物５００を含む。第２のロック素子４４０は、第１の規定プロフィールに準拠しない外部印加場により励起されると変換エネルギーを第２の接着剤組成物５００に与える第２のエネルギー変換器４９０をさらに含む。第２のロック素子４４０は、第２の接着剤組成物５００の膨張が第２のロック素子を天井３５０の内側面と接触させ、これによりラッチレバー４１０に下向きの力を与え、ラッチレバー４１０を閉位置方向に駆動するように構成される。第２のロック素子４４０により起こされる力の大きさは、第１のロック素子４３０のものより大きく、したがって第１のロック素子４３０により与えられた力に打ち勝つ。第２のロック素子４４０の活性化は、ラッチレバーヘッド４８０爪の係合を維持し、これにより遠隔活性化ロックアセンブリ３００の保護装置からの安全な取り外しを防止する。
【００６８】
図１３に示すように、広域スペクトルエネルギー送信攻撃に対する保護のために追加ロック素子が使用されてもよい。図示のように、保護装置に対する不正アクセスをさらに防止し得る第３のロック素子４５０が設けられる。ロック素子４５０は、第２のロック素子４４０とプラットフォーム４００の先端間のラッチレバー４１０の下のプラットフォーム４００に隣接した位置にあり、第３の接着剤組成物５１０を含む。第３の接着剤組成物５１０は例えば熱硬化性接着剤であってもよい。その初期状態では、第３の接着剤組成物５１０はまだその硬化温度に付されておらず、大きな接着性を発揮しない。外部エネルギーが第３の接着剤組成物５１０に印加されると、第３の接着剤組成物５１０は硬化して、ラッチレバー４１０を閉位置に恒久的に接着させる。第３の接着剤組成物５１０の接着性は第１のロック素子４３０により加えられた力を克服するのに十分であり、したがってラッチレバー４１０を閉位置に保ち、ラッチレバー４８０爪の係合を維持する。任意のプロフィールを有する場へのその後の露出は、遠隔活性化ロックアセンブリ３００の保護装置からの安全な取り外しを許容しない。
【００６９】
図１４に、処方薬などのねじ蓋容器内に包装された製品を保護するように設計された遠隔活性化ロックシステムの実施形態の外観図を示す。このシステムは、容器７１０上にねじで留められてもよいねじ蓋キャップ７００を含む。限定するものではないが、容器７１０は、ガラスまたはポリエチレン、ポリプロピレン、ポリスチレン、ポリカーボネート、ＰＥＴ等のプラスチックで作られてもよく、金型または成形により製作されてもよい。
【００７０】
図１５に、遠隔活性化ロックシステムのロック特徴を示す。図１５Ａに、容器の一端上の雄ねじ７２０と容器７１０の同じ端上の軸方向に延びるラチェット部材７３０とを有する容器７１０を示す。ラチェット部材７３０はモールド成形により製作されてもよい。図１５Ｂに、ねじ蓋キャップの内壁に沿って配置された雌ねじ７４０と、ねじ蓋キャップの内部の上部に配置されたラチェット爪の一部であるロック部材７５０と、を有するねじ蓋キャップ７１０の内部を示す。
【００７１】
図１６に、ロック状態のねじ蓋容器の例示的遠隔活性化ロックシステムの詳細な断面図を示す。ねじ蓋キャップ７００は、成型プラスチック、金属またはセラミック材のいずれかで形成されるとともに雌ねじ７４０を有するワンピースキャップ構造７７０を含む。雌ねじ７４０は、容器７１０の本体の雄ねじ７２０と係合しその中で蓋７８０とラチェット爪７９０と係合するように寸法決めされる。キャップ構造７７０の中心は、蓋７８０と可動ラチェット爪７９０とを含むラチェット爪アセンブリを受け入れ取り込むための溝を含む。上部空洞８００は、ロック解除処理中のラチェット爪の運動を許容し、いくつかの実施形態では、内容物にアクセスする不正な企てがなされると活性化する改ざん防止層（ａｎｔｉ−ｔａｍｐｅｒｉｎｇ  ｌａｙｅｒ）を含む。蓋７８０とラチェット爪７９０は接着剤８１０により互に接着される。静止蓋７８０に対して平坦な接着剤８１０は、熱膨張粒子、熱伝導粒子、またはＲＦ感受体粒子（ＲＦ  ｓｕｓｃｅｐｔｏｒ  ｐａｒｔｉｃｌｅ）の１つまたは複数を含むエネルギー変換器または層または構造を含んでもよい。
【００７２】
ねじ蓋キャップ７００をねじると、雌ねじ７４０は容器７１０上の対応する雄ねじ７２０と係合し、ねじ蓋キャップ７００上のラチェット爪ロック部材７５０は容器７１０の首上のラチェット部材７３０と係合する。ラチェット爪ロック部材７５０は、ねじ蓋キャップ７００の締め付け一方向回転だけを許容して、ねじ蓋キャップ７００の緩みを防止する。
【００７３】
図１７に示すように、容器が規定プロフィールを有する場に晒されると、接着剤は膨張し垂直方向に力を生成する。発生された力は、蓋７８０からラチェット爪７９０を押しやり、これにより容器７１０上のラチェット部材７３０からラチェット爪ロック部材７５０を切り離す。その後、ねじ蓋キャップ７００は取り外されてもよい。
【００７４】
本発明のいくつかの実施形態では、改ざん防止材料（ａｎｔｉ−ｔａｍｐｅｒｉｎｇ  ｍａｔｅｒｉａｌ）が、空洞８００の領域内のラチェット爪７９０の頂部に被膜として加えられてもよい。改ざん防止材料はＥＶＡ（エチル酢酸ビニル）または別の構成の接着剤からなってもよい。高熱または不正エネルギープロフィールを使用して容器上のロック装置を改ざんする企てがあれば、改ざんは、ラチェット部材と爪を互に接着するであろうＥＶＡを溶かすことができる改ざん防止層、あるいは改ざん防止接着剤の場合は、爪とギヤとの係合を保つために下部接着剤より大きな力を有ししたがって容器の底に向かう下向きの正味力を有するように構成されるであろう改ざん防止層、のいずれかを活性化するであろう。
【００７５】
本発明の他の実施形態では、遠隔活性化ロックシステムは半径方向に延びるラチェットと爪部材を使用するように構成されてもよい。追加の実施形態は、また、適切な設計のラチェット爪と協同して働く雄ねじに隣接する容器の外面上にラチェット部材を含んでもよい。
【００７６】
別の実施形態では、図１８に、任意の形状の容器内に包装された高い盗難リスク品を保護するように設計された遠隔活性化ロック保護容器を示す。包装９００は、埋め込み切断耐性メッシュ（ｅｍｂｅｄｄｅｄ  ｃｕｔ−ｒｅｓｉｓｔａｎｔ  ｍｅｓｈ）９１０を有する材料で作られた箱状または任意の他の形状の容器を含んでもよい。包装９００は、限定するものではないが、繊維、紙またはプラスチックで作られてもよい。メッシュ９１０は、限定するものではないが、ステンレス鋼、ケブラー、任意の他の強靭ポリマーまたは任意の他の切断耐性材料の任意のもので作製されてもよい。メッシュは外部環境に対し視認可能であっても視認可能でなくてもよく、包装材料の２つまたは複数の層間に挟まれてよい。図１８の例示的容器は、包装９００の頂部縁部に密閉されるともに遠隔活性化ロック機構９３０を組み込んだ蓋９２０を含む。
【００７７】
図１９に、ロック状態にある例示的遠隔活性化ロックメッシュ容器ロック機構９３０の詳細な断面図を示す。ロック機構９３０は、接着剤または任意の他の固定方法を使用して包装９００に取り付けられる底パッド９４０と、接着剤または任意の他の固定方法により容器蓋９２０に取り付けられるキャップ９５０と、を含む。底パッド９４０は、その中にエネルギー変換器９６０が置かれるわずかな窪みを有する。エネルギー変換器９６０は、限定するものではないがアルミニウムまたは銅または任意の他の導体材料で作られた箔または積層箔を含んでもよく、渦電流を生成ししたがって電磁場の存在下でエネルギーを変換する。エネルギー変換器９６０は、膨張可能接着剤を含む片面または両面を有する底パッド９４０とキャップ９５０に接着剤９７０を接着するために、その両平面上に接着剤９７０を有する。接着層は底パッド９４０内の窪みの底に対して平らである。膨張可能接着剤は、膨張粒子、熱伝導粒子またはＲＦ感受体粒子の１つまたは複数を含む層または構造を含んでもよい。このような感受体粒子はＲＦエネルギーを吸収し、フェライト粉、金属粉、カーボンブラック、黒鉛粉末、アモルファス金属粉末またはガラス繊維、ガラス気泡等の被覆粒子、または薄い連続金属膜で被覆された雲母フレークを含んでもよく、そのすべては、熱硬化性ポリマー等の随意的なポリマーを含んでもよい。
【００７８】
本発明の他の実施形態では、キャップ９５０と、膨張接着剤により作動させることができるラッチ等の底パッド９４０と、の間に追加の機械的アタッチメントが存在してもよい。
【００７９】
容器が規定プロフィールを有する場に晒されると、エネルギー変換器９６０は遠隔電磁場からエネルギーを吸収し、そのエネルギーを接着剤内に伝達する。接着剤９７０もまたエネルギーを吸収する。接着剤は膨張し、垂直方向に力を生成し、容器９００からキャップ９５０を押しやり、これにより蓋９２０を容器９００に結合するシールへのアクセスを許容する。次にシールを剥がすことができ、次に蓋９２０が取り外されてもよい。
【００８０】
図２０に、本発明の２つの追加の実施形態を示す。図２０Ａは、バッグの頂部において２つの金属またはプラスチック棒を介し密閉する埋め込みメッシュ材料で作られたバッグを示す。図２０Ｂに、バッグの頂部においてメッシュを通るワイヤにより生成された膨張可能開口を有する、埋め込みメッシュ材料で作られたバッグを示す。２つのワイヤ端は、図１９に詳述されたものと類似のロック機構内に埋め込まれている。
【００８１】
図２１は、図２０Ａの容器のロック機構９８０の水平断面を示す。ロック機構９８０は、２つの金属またはプラスチック棒、すなわち延長部材１０１０を有する第１の棒９９０と、延長部材１０１０を受け入れるように設計されたフックまたはラッチ１０２０を有するとともにエンボスまたは機械加工または任意の他の好適な方法により製作されてよい第２の棒１０００と、を含む。第１の棒９９０と第２の棒１０００は互に押し付けられ、第１の棒９９０は延長部材１０１０が第２の棒１０００のフックまたはラッチ１０２０に係合するようにスライドするようにされる。キャップ１０３０は、延長部材１０１０とフックまたはラッチ１０２０間の係合領域を覆うように接着される。延長部材１０１０とフックまたはラッチ１０２０間の上述した棒に沿って１つまたは複数の係合が存在してもよい。
【００８２】
バッグが規定プロフィールを有する場に晒されると、エネルギーは規定場によりエネルギー変換器１０５０内に誘導される。エネルギー変換器１０５０内のエネルギーは接着剤１０４０に移動し、接着剤１０４０もまたエネルギーを吸収する。接着剤１０４０は膨張し、矢印により示すように垂直方向に力を生成し、キャップ１０３０をフックまたはラッチ１０２０から押しやり、これにより棒９９０と延長部材１０１０が左向きの矢印により示すように棒１０００上のフックまたはラッチ１０２０からスライドして離れるようにする。
【００８３】
規定場プロフィール
遠隔活性化アセンブリロックの操作には、規定プロフィールを有する１つまたは複数の場の印加を必要とする。遠隔活性化ロックアセンブリまたは遠隔活性化ロックアセンブリ群をロック解除または再ロックするには、ロック素子の所与の構成に特有の場プロフィールの知識を必要とする。プロフィール定義は、限定するものではないが、場のタイプ、周波数、場の強度、電力レベルおよび時間波形特徴の１つまたは複数の仕様を含んでよい。いくつかの実施形態については、それぞれが異なるプロフィールを有する一連の場が考えられる。代替案としてあるいはさらに、それぞれが異なるプロフィールを有する複数場の同時印加がキーとして必要かもしれない。キーの追加要素が、場キーの印加の点または配向の要件であってもよい。
【００８４】
一実施形態では、プロフィール定義が、プロフィール定義を指標または商品識別子に関連付けるデータベース内に維持されてもよい。商品識別子は一意的であってもよい、あるいは、場合によっては、例えば当業者に周知のように個人情報（Ｐｅｒｓｏｎａｌｌｙ  Ｉｄｅｎｔｉｆｉａｂｌｅ  Ｉｎｆｏｒｍａｔｉｏｎ）すなわちＰＩＩとして解釈されてもよい取り引きデータの危険な収集を防止するために商品識別子はほぼ一意的であってよいが厳密に一意的でなくてもよい。衝突頻度は、構成要素の秘密（ｃｏｎｓｔｉｔｕｅｎｔ’ｓ  ｐｒｉｖａｃｙ）を保護する一方で重要な操作結果を有しないように十分に低くてよい。さらに、安全性を強化するために、所与の商品識別子は２つ以上のロックアセンブリプロフィールに関連付けられてもよい。これらの様々な指標は一意的商品識別子と呼ばれる。一意的商品識別子は、例えば英数字バーコード、ＲＦＩＤ、または製品に取り付けられた磁気符号化ラベルを読み取ることにより得られてもよい。一意的商品識別子は、場露出履歴を記録する読み出し可能標識をさらに含んでもよい。このような標識の非限定的な例は、活性化場への露出から生じるであろう温度増加に反応するインクを使用することにより部分的に印刷されたラベルである。別の非限定的実施形態では、一意的商品識別子は印加された活性化場に反応する強磁性特徴を含んでもよい。
【００８５】
別の実施形態では、一意的商品識別子は、製品、製品包装、または遠隔活性化ロックアセンブリのいずれかに取り付けられたＲＦＩＤ（無線周波数識別タグ）を含んでもよい。ＲＦＩＤは、一意的商品識別子、必要とされる場プロフィール定義、および以前の遠隔活性化ロック操作を記述するデータを含むメモリを含んでもよい。
【００８６】
遠隔活性化ロック接着材料
一実施形態では、遠隔活性化ロックに用いるのに好適な接着材料は、その中に熱膨張粒子、および／またはＲＦ敏感粒子および／または熱伝導粒子が含まれてよい基本液状接着剤を含んでもよい。
【００８７】
遠隔活性化ロックでは、解放は急速（例えば２秒以下）であり、かつ接着剤の表面全体にわたって完全（クリーン）である必要があると考えられる。急速解放を起こすためにＲＦ誘導を使用すると、特に、貧弱な熱伝導特性をしばしば有する接着剤では、温度勾配が生じる。さらに、いくつかの遠隔活性化ロックシステムは、狭い処理ウインドウ内の操作を必要とする。
【００８８】
温度勾配の問題に対処するために、接着剤中に分散された熱伝導粒子が、エネルギー変換器膜および／またはＲＦ感受体粒子により発生されたエネルギー（例えば熱エネルギー）を伝導するのを助けてもよい。エネルギー反応粒子は、接着剤の温度がある点に達すると大きさを劇的に増し接着層と取り付けられた基板との間の化学結合を壊すように選択されてよい。
【００８９】
接着剤を構成する基本液状接着剤は、エポキシ樹脂、アクリル樹脂／メタクリル樹脂、２部または１部ポリウレタン、１部または２部シリコーン、ポリエステル、ポリアミド、ポリユリア、フェノール樹脂、メラミンホルムアルデヒド凝縮物、および／またはアルキド樹脂、またはそれらの混合物など接着に使用される任意の一般クラスのポリマーまたはポリマー樹脂であってよい。接着剤は、剥離することができるであろう温度より低い温度において、そして場合によっては、好ましくは室温で、時間ともに硬化する。急速加熱を有するために低い熱慣性と低い比熱を有する接着剤を熱膨張粒子の解放点まで加熱することが望ましいかもしれない。
【００９０】
熱膨張粒子または液滴は、炭酸アンモニウム、炭酸水素アンモニウム、炭酸水素ナトリウム、亜硝酸アンモニウム、水素化ホウ素ナトリウムおよびアジ化物化合物等の無機粒子であってよい。熱膨張粒子または液滴はまた、水、アルカンクロロフッ化物、例えばトリクロロモノフルオロメタン、ジクロロモノフルオロメタンと；アゾ化合物、例えばアゾビスイソブチロニトリル、アゾジカーボンアミド、バリウムアゾジカルボキシラートと；ヒドラジン化合物、例えばｐ−トルエンスルホニルヒドラジド、ジフェニルスルホン−３，３’ジスルホニルヒドラジド、４，４’オキシビス（ベンゼンスルフォニルヒドラジド）およびアリルビス（スルフォニルヒドラジド）と；セミカルバジド化合物、例えばｐ−トルイレンスルホニルセミカルバジド、４，４’オキシビス−（ベンゼンスルフォニルセミカルバジド）と；トリアゾール化合物、例えば５−モルホリル−１，２，３，４−チアトリゾールと；、Ｎ−ニトロソ化合物、例えばＮ，Ｎ’−ジニトロソペンタメチレンテトラミン、Ｎ，Ｎ’−ジメチル−Ｎ，Ｎ’−ジニトロソテレフタルアミドと、を含んでもよい。
【００９１】
熱膨張粒子または液滴はまた、ポリマーシェル中ヘのガス状成分の封入により作成された小球体、熱膨張可能微粒子を含んでもよい。ガス状成分は熱エネルギーが印加されるとそのシェルから解放される。ブタン、プロパン、ヘプタン等の気体薬剤は、混合操作の容易性のためにガス状成分が好ましい。Ｅｘｐａｎｃｅｌ  Ｍｉｃｒｏｓｐｈｅｒｅｓ（商標）などの市販熱膨張可能微粒子が使用されてもよい。さらに、ポリスチレンに閉じ込められた水も、熱膨張粒子として使用されてもよい。市販のように、粒子は通常１〜１００マイクロメートルの粒径を有するが、いくつかの実施形態では、粒径のより狭い分布を採用すべきかもしれない。例えば、熱処理されると接着剤の完全かつ有効な解放は５〜４０ｕｍの平均粒径を有する微粒子で生じると考えられる。
【００９２】
解放温度の調節は小球体を囲むポリマーシェルを変化させることにより達成されてもよい。シェルの成分に依存して、小球体は室温から摂氏２００度までの間で膨張してもよいが、摂氏５０〜１７５度の間が好ましいと考えられる。小球体シェルは、アクリロニトリルブタジエンスチレン（ＡＢＳ）を含む熱可塑性物質などのポリマーで作られてよい。熱膨張粒子は体積が４０倍も増加してもよい。
【００９３】
熱伝導粒子は、銅などの金属またはガラスなどの無機物を含んでもよい。銅粒子は直径約１００マイクロメートルである。ＲＦ感受体粒子の例は、ＰｏｗｄｅｒＴｅｃｈ社から入手可能なＦＰ１３０（商標）である１０％Ｚｎ２Ｙである。ＲＦ粒子はまた磁性的であってもよく、この場合には、粒子の加熱は主として、渦電流よりむしろ磁気ヒステリシス損失により生じてもよい。
【００９４】
構造が膜であってよいエネルギー変換器は、交流磁場の存在下で渦電流を生成する材料であってもよい。アルミニウム、１０１０鋼、永久磁石、銅材料で作られた導体膜または箔が好適である。さらに、交流磁場に付された磁歪膜は変動応力場を有し、熱を生成する。
【００９５】
誘導的解放可能な接着システムの他の実施形態は、接着剤にワックス粒子を添加することを含む。ワックス粒子は、熱膨張球、熱伝導粒子およびＲＦ感受体粒子との様々な組み合わせで接着剤中に取り込まれてよいが、低体積％でなければならない。ワックス粒子が、取り付けられた基板から接着剤を解放するのを助けてもよい。代表的ワックスとしては４７〜６５℃の融点（最も望ましい）を有するパラフィン蝋が挙げられるが、カルナウバ蝋（７８〜８５℃の融点）またはミツバチのワックス（４５℃の融点）を採用してもよい。他の好適なワックスは、カ氏１６５〜２４０度の範囲の融点を有してもよい。
【００９６】
図２２は、２つの図における電気的剥離可能接着層を採用した遠隔活性化ロックユニット実施形態の概略図であり、１つの図ではロックユニットがロック位置にあり（図２２Ａ）、他の図では、電気的剥離可能接着層を側方に置く２つの基板両端の印加電圧によりロックユニットはロック解除位置にある（図２２Ｂ）。このような実施形態における電気的剥離可能接着層は基板１１０６と基板１１０６’に恒久的に接着してもよい。電気的剥離可能接着剤１１４１は、極性ポリマー１１４２を含む少なくとも１つのポリマーと無極性ポリマー１１４３を含む少なくとも１つのポリマーとからなる少なくとも２つのポリマーと、導電性塩類、金属粒子、金属配線、ナノワイヤおよびカーボンナノチューブの１つまたは複数を含む導電性材料１１４４と、の液状接着剤混合物を含む。
【００９７】
極性ポリマーは、例えば（限定するものではないが）、ポリエーテルポリオール、ポリエステルポリオール、ポリカーボネートポリオールまたは任意の他の極性ポリオール、またはアミン末端ポリオールの１つまたは複数を含んでよい。無極性ポリマーは、例えば（限定するものではないが）、シリコーンポリオール、カルボキシ末端ポリブタジエン、イソシアナート末端ポリブタジエン、フッ化ポリオールポリブタジエンポリオール、メラニン化ポリブタジエンを含んでもよい。
【００９８】
図２２Ｂに示すように、２つの基板１１０６と１１０６’が好適なエネルギープロフィール（例えば、２つの基板１１０６と１１０６’の両端に印加された電圧）に付されると、正電荷が１つの基板１１０６上に堆積し、負電荷は他方の基板１１０６’上に堆積する。接着剤内では、共有結合で接着されないいくつかの電子を有する極性分子１１４２が回転し印加場と整合する。電気的剥離可能接着剤１１４１内に見られる導電性材料１１４４も電場の存在により影響を受けると考えられる。例えば、導電性材料１１４４が導電性塩である場合、アニオンは正電荷を有する基板１１０６に移動し、カチオンは負電荷を有する基板１１０６’に移動することになる。無極性分子１１４３は、その電子が共有結合で接着されるので電界内で回転しない。結果的に、接着剤１１４１内に何らかの相分離が存在することなり、より高い導電率（極性）の領域と無視できる導電率（無極性）の領域とを生じる。電場との有極性分子１１４２の物理的整合により生成された力は、接着剤１１４１の接着性を弱め、そして印加電圧の方向と電気的剥離可能接着剤１１４１内に見られる特定の導電性材料１１４４とに依存して基板１１０６または１１０６’のいずれかを剥離させる。この概略図では、印加電圧が有極性分子１１４２を電場に整合させると、有極性分子は延びて、基板１１０６と１１０６’間に配置された接着剤１１４１の厚さを増加させ（すなわち密度が減少する）、接着剤１１４１と基板１１０６と１１０６’間の接合を弱める内向きの水平方向力を内側に向けて生成する。
【００９９】
図２３は、電気的剥離可能接着剤を採用した別の遠隔活性化ロックユニット実施形態の概略図であり、実施形態の印加電流プロフィールを示す。この実施形態における電気的剥離可能接着剤１１４５は、一方の表面上には電歪層１１４８があり、電歪層１１４８の他方の表面上には磁歪層１１０９がある。このような複合磁歪／電歪層（ｍａｇｎｅｔｏｓｔｒｉｃｔｉｖｅ／ｅｌｅｃｔｒｏｓｔｒｉｃｔｉｖｅ  ｌａｙｅｒｓ）はＭＥ構造と呼ばれる。再び、電気的剥離可能接着層１１４１は、少なくとも１つのポリマーが極性ポリマー１１４２であり少なくとも他のポリマーが無極性ポリマー１１４３である複数のポリマーを含んでもよい。例えば（限定するものではないが）導電性塩、金属粒子、金属配線、ナノワイヤおよびカーボンナノチューブの１つまたは複数を含む導電性材料１１４４が電気的剥離可能接着剤１１４１内に見られる。極性および無極性ポリマーと導電性材料を適切に選択することにより、外部からの電気的および／または磁気的エネルギー（「電磁気エネルギー」）の印加に応答して第１の状態から第２の状態に遷移することができる電気的剥離可能接着剤組成物を提供してもよい。
【０１００】
磁歪層１１０９は、例えば、Ｔｅｒｆｅｎｏｌ−Ｄなどの希土類材料を取り込んだ合金、室温および比較的小さな印加場において大きな磁気歪みを発揮する特別に配合されたテルビウム、ジスプロシウム、鉄の合金であってよい。電歪層１１４８は圧電層であってもよく、例えばチタン酸ジルコン酸鉛（ＰＺＴ）、石英またはロッシェル塩を含んでもよい。ＭＥ構造は、各層の場反応がその隣に影響を与える限り、単一の磁歪層１１０９と単一の電歪層１１４８で、あるいは多くの交互磁歪層１１０９と電歪層１１４８で構成されてもよい。
【０１０１】
遠隔活性化ロックユニットをロックまたはロック解除するために使用される外部エネルギーは、電磁気エネルギーの特定のプロフィールであってもよい。一実施形態では、３０ＫＨｚ〜３００ＫＨｚの周波数を有する無線周波数（ＲＦ）磁場が採用されてもよい。その振動が各磁歪層内の振動歪みを生成する振動ＲＦ磁場がＭＥ構造に印加されると、磁歪層１１０９は例えば磁場の各サイクルによりその緩和状態のものからその寸法のいくつかまたはすべてを変化させることにより反応する。隣接するあるいは交互配置された電歪層１１４８はその緩和状態において一定の形状を保持する。物理的応力に付されると、電歪層１１４８は歪を呈する。歪は電歪層１１４８を変形させ電圧差を生ずる。したがって変動磁場の印加により、例えばダイオード１１４７を使用して整流することができる交流電圧および電流を与える。印加電流は図２３の挿入図に概略的に示される。さらに、構造の機械的共振振動数における振動により、所与の振動場入力のためのより大きな電圧出力を与える。これにより作動可能電圧および電流が生成される唯一の周波数であってよい好ましい周波数を与える。
【０１０２】
整流された電圧または電流を電歪層１１４８から基板１１０８に印加すると、例えば図示のように正電荷は基板１１０８の上に蓄積し、負電荷は電歪層１１４８上に蓄積する。接着剤内では、共有結合されないいくつかの電子を有する極性分子１１４２が回転し印加場と整合する。交流磁場の周波数は高いので、極性分子は回転してもとの状態に戻るための時間を有しない。電気的剥離可能接着剤１１４１内に見られる導電性材料ｌ１４４は、ＭＥ４６構造により生成された静電界の存在により同様に影響を受ける。導電性材料１１４４が導電性塩である場合、アニオンは正電荷（例えば１１０８）を有する基板に移動し、カチオンは負電荷を有する基板の表面（例えば基板１１４８の表面）に移動する。無極性分子１１４３は、その電子が共有結合されるので電場内で回転しない。結果的に、電気的剥離可能接着剤１１４１内に何らかの相分離が存在することなり、より高い導電率（極性）の領域と無視できる導電率（無極性）の領域とを生じる。場と極性分子１１４２との物理的整合により生成された力は、電気的剥離可能接着剤１１４１の接着性を弱め、そして印加電圧の方向と電気的剥離可能接着剤１１４１内に見られる特定の導電性材料１１４４とに依存して基板１１０８または１１４８のいずれかを剥離させる。
【０１０３】
ロックとキーはこのような実施形態の追加盗難防止特徴として作成されてよい。例えば電気的剥離可能接着剤１１４１は、特定の接着剤組成物と混合物が特定の規定エネルギープロフィールによりロック解除されるように極性ポリマー１１４２、無極性ポリマー１１４３および導電性材料１１４４の組成物または体積パーセントを変化させることにより変更されてもよい。さらに、ロック解除状態は、構造剛性の変化、したがってＭＥ構造からの接着剤の剥離により生じる音響共振の変化から検出されることができる。
【０１０４】
遠隔活性化ロックシステムアーキテクチャ
次に図２４を参照すると、遠隔活性化ロックシステムの例示的なアーキテクチャが示される。４つの主要なサブシステムと２つの随意的なサブシステムが概略的に示される。
【０１０５】
図２４に示すように、遠隔活性化ロック６００は製品の不正使用を妨害または防止するロック機構である。ロックは、ロックが正しく取り外されない限り役立たなくする保護製品に固定されてもよい。さらに、ロックの不正な取り外しは製品を恒久的に損傷または破壊するだろう。随意的に、遠隔活性化ロック６００は、ロック解除許可に必要な情報を安全に提供する製品バッチＩＤサブシステムを有してもよい。
【０１０６】
活性化装置６１０は設定またはロック動作するための態様である。遠隔活性化ロック６００は、通常（に限らないが）、製造のある時点で活性化により設定される。活性化は、いくつかの実施形態では、接着ラベルとして構成されたロック素子の圧力印加であってもよいし、あるいは遠隔活性化ロック６００に対するより複雑な物理的または化学的変化を含んでもよい。
【０１０７】
非活性化装置６２０は、遠隔活性化ロック６００をロック解除する手段を提供する。非活性化装置６２０は、通常（に限らないが）、勘定カウンタにおいて設定される。保護製品の購入は、遠隔活性化ロック６００をロック解除することと、これにより購入者による製品に対する自由なアクセスを許容することと、を含む。この工程は時に非活性化と呼ばれる。
【０１０８】
再活性化装置６３０は、遠隔活性化ロック６００をロック状態にリセットする能力を提供する。このような再活性化は、製品が返品され再購入のために用意される際に実行されてもよい。この操作は再ロックおよび再活性化と呼ばれることがある。再活性化は、勘定カウンタとは異なりバックルーム設定（ｂａｃｋ−ｒｏｏｍ  ｓｅｔｔｉｎｇ）において達成されてもよい。
【０１０９】
活性化／非活性化／再活性化操作のそれぞれは、製品に対し既に実行された操作の履歴の知識を必要とする。各操作の実行は、履歴を、操作前に検索できるようにする指示装置内に書き込まれてもよい。好適な指示装置の実施形態は、磁気識別タグ、熱反応識別タグ、およびリード／ライトメモリを内蔵する無線周波数識別タグを含む。
【０１１０】
ローカルサーバー６４０は遠隔活性化ロックシステムの随意的なサブシステムである。ローカルサーバーの機能は、
ｉ）非活性化許可のために非活性化装置６２０とローカルサーバー６４０間のローカル通信を可能にすること、
ｉｉ）非活性化装置動作ログを収集するための局所集中型施設（ｌｏｃａｌｌｙ  ｃｅｎｔｒａｌｉｚｅｄ  ｆａｃｉｌｉｔｙ）を提供することと、ログデータからレポートを作成すること、
ｉｉｉ）取り引き処理許可とデータベース更新のために広域ネットワーク通信スループットを減らすこと、
ｉｖ）より早く、より信頼できる操作のために広域通信リンクへの依存性を減らすこと、
ｖ）非活性化装置６２０の電源が切られるとブランクにされてよい揮発性メモリ内にそれらのデータベース情報を置くことにより、非活性化装置６２０の安全性を改善すること、である。電源が投入されると、非活性化装置６２０はローカルサーバー６４０データベースから再ロードされてもよい。
【０１１１】
リモートサーバー６５０は、様々なソフトウェア品とデータ項目の集中型ソースとして設けられてもよい。システムが発達し、リモートサーバー６５０への信頼が増すにつれて、アーキテクチャは、同期されかつ地理的に分離されたリモートサーバー６５０が負荷を共有できるようにし、全体システムにおいてより大きな耐障害性を提供する。リモートサーバーは、
ｉ）ローカルサーバー６４０、活性化装置６１０、非活性化装置６２０および再活性化装置６３０のファームウェアとソフトウェア更新と、
ｉｉ）ローカルサーバー６４０へのダウンロードのための非活性化データベースの集中型レポジトリーと、
ｉｉｉ）ローカルサーバー６４０が存在しない場合の非活性化装置６２０へのダウンロードのための非活性化データベースの集中型レポジトリーと、
ｉｖ）非活性化装置６２０が非活性化データベースのローカル記憶装置無しに随意的に構成された場合の非活性化データベース内の個々の取り引き処理ルックアップと、を含んでもよい。
【０１１２】
また、随意的なのは、活性化装置６１０、非活性化装置６２０、または再活性化装置６３０と通信を行ってもよいサービス装置６６０である。サービス装置６６０は次の機能を提供する。
ａ）ローカルサーバー６４０が存在しない場合あるいはリモートサーバー６５０への接続が無い場合の活性化装置６１０、非活性化装置６２０、および再活性化装置６３０に対するファームウェアとソフトウェア更新の提供。
ｂ）ローカルサーバー６４０が存在しない場合あるいはリモートサーバー６５０への接続が無い場合の活性化装置６１０、非活性化装置６２０および再活性化装置６３０に対するセキュリティデータとロック方式データ更新の提供。
ｃ）ローカルサーバー６４０が存在しない場合あるいはリモートサーバー６５０への接続が無い場合の活性化装置６１０、非活性化装置６２０および再活性化装置６３０を初期化で通常機能を行えるようにするための要件の提供。これにより、これら手段を未初期化の使用不能な状態で出荷または格納できるようにする。
ｄ）ローカルサーバー６４０が存在しない場合あるいはリモートサーバー６５０への接続が無い場合、活性化装置６１０、非活性化装置６２０および再活性化装置６３０を閉鎖して、出荷または格納されるがそれらの通常機能を行えなくするための要件の提供。
ｅ）性能、保守またはセキュリティ問題を追跡するためのサービスログデータをダウンロードするための要件の提供。
ｆ）活性化装置６１０、非活性化装置６２０および再活性化装置６３０に関する問題を診断するための要件の提供。
【０１１３】
３つの処理（活性化、非活性化または再活性化）は、３つの態様すべてにおいて反応することができる単一装置、態様ごとの個別装置、あるいは態様の他の組み合わせにより達成されてもよい。単一または複数態様装置では、セキュリティ対策は所定時刻にどの態様が使用可能かを制御する。例えば、非活性化態様は、有線、従来型無線、または無線メッシュネットワークが、存在すると予想される一組の隣接非活性化装置の少なくともいくつかのメンバーもまた利用可能であるということを示す場合にだけ、利用可能であってよく、これにより、店から盗まれたまたは取り出された非活性化装置の単独操作を防止する。非活性化装置は、その環境について学ぶための設置または装置トレーニング態様を入力することに向けられてもよく、その後、期待される環境要因が存在する場合だけ作動することに向けられてもよい。この特徴の代表的要因としては、ＷｉＦｉおよび携帯電話シグネチャ、ＴＣＰ／ＩＰアドレスと無線周波スペクトルシグネチャを介したジオコーディング、照明および温度パターン、勘定支払施設内またはその近傍に埋め込まれたＲＦＩＤ認証タグの存在検出、スマートカードの存在、および関連トークン、その非時間および伝搬態様を含む原子時計信号、所与の設定に対し適切な一日の時刻および週の時刻の決定が挙げられる。
【０１１４】
次に図２５を参照すると、それぞれが共通のサブシステムレベルアーキテクチャを共有してよい活性化装置６１０、非活性化装置６２０および再活性化装置６３０サブシステムの具体化アーキテクチャが示されている。
【０１１５】
部品は次のものを含む。
【０１１６】
エネルギー転送モジュール６７０は遠隔活性化ロック６００に対するインターフェースである。高レベルのセキュリティモジュールが活性化、非活性化または再活性化処理を承認すると、エネルギー転送モジュール６８０は活性化、非活性化または再活性化処理を完了するために遠隔活性化ロック６００にエネルギーを転送する。印加エネルギーは、遠隔活性化ロック６００の構成に依存して、電磁気、光学、化学、機械、超音波、他の個々の手段またはその組み合わせであってよい。
【０１１７】
セキュリティモジュール６８０は、ユーザにより要求された活性化、非活性化または再活性化処理を認可する。セキュリティモジュール６８０は、装置の内部に格納されたデータ、またはローカルサーバー６４０またはリモートサーバー６５０に格納されたデータ、またはＲＦＩＤチップ内のロック６００自体に埋め込まれたデータ、バーコードラベル、または他の電子的または光学的読み出し可能標識にアクセスすることを含んでもよい。セキュリティモジュール６８０は自己保護している。ローカルに格納されたデータは、装置が電源から取り外された場合あるいは所定期間の間サーバーの１つとの有効な通信結合から取り外された場合にアクセス不能にされる。装置からのデータの取り出しを妨害するために、そしてデータが装置から取り出させたとしたとしてもデータが攻撃者にとって無価値となることを保証するために、データを保護する様々なやり方が採用される。例えば、ローカルおよびリモート使用可能データ記憶装置が、合法操作では決して生じない商品識別子の指標を含んでもよい。キーサブシステム（特には非活性化装置）は、ハッカーおよび泥棒などの違法ユーザによりシステムに提示されるだけのような「キルコード：ｋｉｌｌ  ｃｏｄｅ」に遭遇すると直ちにまたは優雅に遮断するようにプログラムされてもよい。サブシステムはまた、データまたはソフトウェア更新を受信した場合あるいは一定期間内に認証プロトコルを完了した場合にだけ動作し続けることに向けられてもよい。データおよびソフトウェア更新は、所与のサブシステムに期待される情報の履歴に合わせてもよい。例えば、所与の非活性化装置の更新は、非活性化装置が受信しなければならなかった最近のＮ回の更新に、あるいはチェックサムまたはチェックサムの他のダイジェスト版に合わせられてもよく、これによりハッカーに装置の履歴を監視する負荷を押し付ける。
【０１１８】
セキュリティモジュール６８０は、他の提出時に開示されるアルゴリズムを監視する適応使用（ａｄａｐｔｉｖｅ  ｕｓａｇｅ）に基づきセキュリティを随意的に提供してもよい。異常な活性化、非活性化または再活性化活動が過去の使用に基づき検出された場合、サブシステム装置は要求を完了する前に別の許可を必要としてもよい。装置は、その場所を検出して、装置の使用を許容場所だけに地理的または実質的に（すなわち、どんな通信経路を介したかにより）制限し、盗まれたならば装置をさらに役立たなくするように構成されてもよい。ユーザに装置の使用を許可する前に認証処理を必要としてもよい。
【０１１９】
ロギングモジュール６９０は、「フレンドリ攻撃」（すなわち、不正なやり方で装置を使用する従業員による）を検出するために活性化、非活性化または再活性化活動のバックオフィス解析のための情報を得る手段としてすべての活動をログする。活動ログは、限定するものではないが、活動、時間／日付、ユーザ、場所、製品および／またはロックバッチＩＤ、ソフトウェア変更データ、電源投入／切断データ、および悪意の行動を特定する際に価値があると思われる任意の他のデータを含んでもよい。
【０１２０】
サブシステム装置が、いかなるローカルサーバー６４０またはリモートサーバー６５０、ロック解除対象製品の識別のためのロック６００、あるいは随意的な実施形態では製品購入の有効性に関する情報を提供してもよい別のＰＯＳシステムにも接続されない場合、通信モジュール７００は、サブシステム装置の随意的ローカルサーバー６４０とリモートサーバー６５０に対する通信と、装置を活性化しソフトウェア更新をインストールしログをダウンロードしあるいはデータベースを更新する目的のためにリモート通信を置換してよいサービス装置６６０に対する通信と、を管理する。
【０１２１】
実施形態のシステムは、完全に単独動作可能であってもよく、他のサブシステム装置にネットワーク接続されても、ローカルサーバー６４０にネットワーク接続されても、リモートサーバー６５０にネットワーク接続されてもよく、あるいはこれらの通信選択肢の任意の組み合わせであってもよい。システムは、その動作を店内のＰＯＳシステムのものと一体化することにより追加機能（例えば、完了した販売の信号を条件として非活性化させる）を提供してもよい。ＰＯＳ一体化はシステムの随意的機能である。
【０１２２】
追加実施形態
先に説明したように、ＲＦＩＤタグが遠隔活性化ロックシステムにおいて採用されてもよい。ＲＦＩＤは、通常は、内部データが読み取られ次に同報通信され戻されるのに十分な電力をＲＦＩＤ内に生成するような強度のＲＦ問い合わせ信号を受信すると情報を提供する。戻り同報通信（ｂｒｏａｄｃａｓｔ  ｂａｃｋ）は、信号を電磁スペクトル内の任意の場所で送信する放射手段により行われてよい。
【０１２３】
一実施形態では、ＲＦＩＤタグは、所定の問い合わせ信号の受信に関係する共振から導出される情報を提供するように作動可能に構成される共振構造を含む。適切な問い合わせ信号を受信すると、構造からの共振は外部検出器により判断されてもよいし、あるいは共振構造がＲＦＩＤに関連した放射手段に作動可能に結合されている場合は外部受信器による実際の応答信号の受信を伴ってもよい。応答の帯域幅は、部分的には共振構造のＱにより決定される。１つのこのような共振構造の実施形態では、共振構造は、複数共振周波数を有する磁歪／電歪（ＭＥ）結合構造を含む。それぞれが共振周波数を有する複数ＭＥを採用してもよい。共振周波数は、ＭＥ結合構造の形状、長さ、または構成などのＭＥ結合構造の物理化学的特性を変更することにより変更されてもよい。集合的に、識別情報は共振振動数を介し伝達される。
【０１２４】
別の実施形態では、ＲＦＩＤチップは、従来のウェーハレベル製造技術が装置を作製するために使用されるように単一基板上にアンテナと一体化される。１つのこのような実施形態では、ＭＥ結合構造はアンテナのように振舞う。
【０１２５】
別の実施形態では、発電がＲＦＩＤ装置の特徴であってもよい。発電は例えば、このようなＭＥを適切な磁場に晒してＭＥの電歪部品内に電流を流すことによりＭＥ結合構造の活性化を介し達成されてもよい。例えば、磁歪部品が物理的に変形して応力を圧電素子（電歪部品を含む）に印加しこれにより電流を流すようにしてもよい。
【０１２６】
この実施形態によると、ＲＦＩＤタグは基板上に配置された集積回路とアンテナを含んでもよい。アンテナは、ＭＥ構造を形成する１つまたは複数の磁歪（Ｍ）層と電歪（Ｅ）層とを含んでもよい。電歪層は圧電層（ＰＥ）であってもよい。圧電層は、限定するものではないが、チタン酸ジルコン酸鉛（ＰＳＴ）または石英とロッシェル塩であってもよい。磁歪層は、限定するものではないが、Ｔｅｒｆｅｎｏｌ−Ｄ、室温および比較的小さな印加場において大きな磁気歪みを発揮するテルビウム、ジスプロシウムおよび鉄の特別に配合された合金であってよい。結合磁歪／電歪構造は基板上に直接作製されてもよい。ＭＥ構造は、各層の場反応がその隣に影響を与える限り単一磁歪（ＭＳ）／電歪層あるいは材料を交互に切り替えた多くの層を含んでよい。集積回路（ＩＣ）は、別個に作製されＭＥ構造上に接着されてもよいし、あるいは従来のウェーハレベル製造技術を使用して作製されてもよい。
【０１２７】
ＭＥ構造は様々な長さのフィンガー内に作製されてもよい。様々な長さのフィンガーはリソグラフィ、蒸着またはエッチングにより形成されてもよい。フィンガー長さの調節はレーザートリミングまたは他の切断処理により行なわれてもよい。あるいは、様々な長さのフィンガーは、選択的材料成長により直接作製されてもよい。ＭＥ構造内では、ＭＳ材料はその緩和状態において一定の形状を保持する。磁場がＭＳ材料に印加されると、材料は、緩和状態のものからその寸法のいくつかまたはすべてを変化させることにより反応する。振動磁場の印加は振動する変形を生じる。隣接してまたは交互に配置されたＰＥ材料はまた、その緩和状態において一定の形状を保持する。物理的な応力に付されると、材料は歪を呈する。歪はＰＥ結晶を変形させ電圧差を生成する。ＭＥ構造内では、印加磁場に反応するＭＳ層の振動歪みは、次に、ＭＳ層に隣接してまたはＭＳ層間に位置する電歪材料（ＰＥ層を含んでもよい）を変形する。結果的に、ＰＥ層が電圧差を生成することになる。したがって振動磁場の印加は、ダイオードを使用して整流することができる交流電圧を与える。振動磁場は、磁場がフィンガーの共振振動数で振動するときフィンガー内に最大限に結合するだろう。その周波数応答によるＲＦＩＤタグの一意的同定は、異なる長さのフィンガーを取り込むことにより実施されてもよい。ある範囲の周波数にわたる掃引は、その特定共振周波数において各フィンガーを励起して装置の一意的シグネチャを提供するだろう。
【０１２８】
この情報を、任意の所望の電磁気周波数、例えば１０〜１０，０００キロヘルツのＡＭまたはＦＭ信号、紫外線、可視周波数、赤外線、またはテラヘルツ周波数を含む任意の光周波数を使用した光学エネルギーを使用することにより同報通信するために送信器を使用してもよい。光周波数が使用される場合、装置から情報を送信するためにＯＬＥＤ（有機発光ダイオード：ｏｒｇａｎｉｃ  ｌｉｇｈｔ  ｅｍｉｔｔｉｎｇ  ｄｉｏｄｅ）を使用してもよい。
【０１２９】
一実施形態では、アンテナはＲＦＩＤ装置と一体化されてもよい。電力を生成するために非共振磁場をＲＦＩＤタグに印加してもよい。オンボードプロセッサは識別チップレジスタから識別子を読み取る。アクティブな送信器は、この情報を、任意の所望の電磁気周波数、例えば１０〜１０，０００キロヘルツまたはギガヘルツ範囲のＡＭまたはＦＭ信号、紫外線、可視周波数、赤外線、またはテラヘルツ周波数を含む任意の光周波数を使用した光学エネルギーを使用することにより同報通信する。光周波数が使用される場合、装置から情報を送信するためにＯＬＥＤ（有機発光ダイオード：ｏｒｇａｎｉｃ  ｌｉｇｈｔ  ｅｍｉｔｔｉｎｇ  ｄｉｏｄｅ）を使用してもよい。この装置の受信器は、信号を受信するために必要な近接性をもって配置されなければならない。信号はまた、音響検波器によっても測定されることができるであろう。
【０１３０】
さらに別の実施形態では、ＲＦＩＤは、一体化アンテナを有するまたは有しない発電能力を提供する。この実施形態では、最初の工程は最も効率的な電力を生成することである。部品が特定され、それへ電力を供給すること（例えば、タグを剥離するために）が必要となると、オンボードスイッチが活性化されてもよい。このスイッチは、これらに限定しないが、ＭＥＭ（マイクロエレクトロメカニカル）リレーまたはトランジスタであってもよいであろう。次に、電力がアクティブ負荷に送られる。電力は、ＭＥ構造または蓄積エネルギー（ＭＥと容量）または電池から直接発生することができるかもしれない。一実施形態では、ＲＦＩＤ集積回路を給電するのに十分な電力は、結合磁歪／電歪層を含む少なくとも複数の共振器が励起されなければ発生されない。
【０１３１】
別の実施形態では、給電された集積回路は、ＲＦＩＤタグが貼り付けられた品目の動作が活性化されるようにスイッチを切り替えさせる。１つのこのような実施形態では、タグは、タグが取り付けられた品目の使用を防止する短絡を除くように剥離される。
【０１３２】
一実施形態では、保護対象製品を受け入れる大きさに作られた格納空洞（ｃｏｎｔａｉｎｍｅｎｔ  ｃａｖｉｔｙ）を画定するスリーブ構造を含む遠隔活性化ロックアセンブリが開示される。保護対象製品を含むスリーブ構造は、格納空洞内へのアクセスを介した製品へのアクセスが容器構造により防止されるように容器内に接着される。スリーブ構造と容器は、格納空洞への不正なアクセスを保護製品を損傷することなく防止するのに十分に耐久性のある材料で製造される。
【０１３３】
一実施形態では、セキュアディジタルなどのメモリーカードをセキュア包装内にロックするスリーブ容器便益拒絶ロック包装（ｓｌｅｅｖｅ−ｒｅｃｅｐｔａｃｌｅ  ｂｅｎｅｆｉｔ  ｄｅｎｉａｌ  ｌｏｃｋｉｎｇ  ｐａｃｋａｇｅ）が提供される。このような実施形態では、メモリーカードを含むスリーブは接着剤組成物および／または構造により容器に接着される。盗まれた場合、ロック包装からカードを取り出す企てはメモリーカードの損傷を生じるので、メモリーカードの便益が拒絶されるだろう。
【０１３４】
図２６Ａに、盗難からメモリーカードを保護するように設計された遠隔活性化ロックアセンブリの実施形態を示す。この装置は、その内面１２１０が空洞を画定する中空容器１２００を含む。空洞は中空容器１２００の表面において開口される。内面１２１０の寸法はスリーブ１２２０の摺動挿入を許容する大きさに作られる。次に、スリーブ１２２０はメモリーカード１２３０または任意の他の保護品目の格納空洞内への挿入を許容するように寸法決めされる。メモリーカード１２３０または任意の他の製品は、その端子開口部１２２５においてスリーブ１２２０の格納空洞内に挿入される。接着剤組成物および／または構造１２４０は容器１２００の内底面に貼り付けられるかあるいはその上に堆積される。スリーブ１２２０は、スリーブ１２２０の下面が容器１２００の内底面と平行になるように容器１２００の空洞内に挿入される。接着剤組成物および／または構造１２４０は必要に応じ硬化され、スリーブ１２２０と容器１２００間に強く長持ちする接合を生成してもよい。便益拒絶装置を包装材料に固定できるようにするフランジ１２６０は容器１２００の下部外面に一体化されてもよい。一実施形態では、フランジは包装内の厚紙により捕捉され、これにより、厚紙または紙の連続シート１２７０が包装の平坦面下に置かれ、容器１２００がそれを貫通して突き出ることを可能にする正方形開口を有する１枚の厚紙または紙１２８０がフランジ１２６０の上面に固定される。
【０１３５】
スリーブ１２２０と容器１２００間の接合は非常に強いので、便益拒絶ロック包装を妨害する企てと過度の物理的力を使用してスリーブを取り外す企ては、メモリーカード１２３０または他の資産を損傷して、便益の拒絶をもたらすことになるであろう。
【０１３６】
容器１２００は、ポリカーボネート、ＡＢＳ、プラスチックまたは他の適切に強い材料で作られてもよい。スリーブ１２２０は、任意の同様に堅く、強く、低コストの材料で作られてもよい。ロック包装は、スリーブ１２２０が容器１２００の上面１２５０とぴったり重なるかあるいはそれにはめ込まれるように設計されてもよい。図２６Ｂに示された本発明の有利な実施形態では、非活性化後、接着剤組成物および／または構造１２４０の膨張が、メモリーカード１２３０または他の保護資産がスリーブ１２２０の端子１２２５開口からスライドして出るようにさせるのに十分な垂直方向高さにスリーブ１２２０を上昇させないように、ロック包装は設計され、非活性化後に保護品目が包装から落下する可能性をなくす。このような場合、スリーブ１２２０をさらに取り出すために追加の機械的力を外部から印加し、これにより保護品目を取り出せるようにしてもよい。
【０１３７】
先に開示したように、製品へのアクセスが許可されている場合、スリーブ構造と容器間の接合は外部印加エネルギーの特定のプロフィールの印加により剥離されてもよい。図２６Ｂを参照すると、適切なエネルギープロフィールを有する外部刺激が便益拒絶ロック包装に印加された（すなわち、ロック機構が非活性化された）図２６Ａの実施形態が示される。外部刺激からのエネルギーは接着剤組成物および／または構造１２４０により受け取られ、接着剤組成物および／または構造１２４０を膨張させる。接着剤組成物および／または構造１２４０が膨張するので、スリーブ１２２０と容器１２００の内底面間の接合は破壊され、挿入されたメモリーカード１２３０または他の資産を有するスリーブ１２２０を容器１２００の空洞から取り外すことができるようになる。次に、メモリーカード１２３０または他の資産はスリーブ１２２０から取り外されてもよい。
【０１３８】
別の実施形態では、スリーブ構造と容器間の接合の解放は、限定するものではないが、結合材だけの接着性能の変化だけにより、あるいは機械的力印加機構（すなわち、ばね、レバー等）と組み合わせて達成されてもよい。追加の実施形態では、接合は、機械的ラッチ機構により実施されてもよい。ここでは、接合の非活性化は、機械ラッチに取り込まれた材料への規定プロフィールの外部印加エネルギーの印加（材料は反応して機械的状態または特性を変化させる）により達成される。
【０１３９】
保護製品の取り引き処理順序（ｔｒａｎｓａｃｔｉｏｎ  ｓｅｑｕｅｎｃｅ）の実施形態
遠隔活性化ロック製品購入および非活性化システムの実施形態は、様々な購入活動および非活性化処理を調整するコンピュータまたは制御装置と；製品価格とＳＫＵなどの他の情報を決定するために製品上の小売り業者バーコードを読み取るバーコード読み取り装置と；製品に対する現金支払いを受け入れ、おつりを支払う請求書処理装置と；製品搭載装置から遠隔活性化ロック製品識別情報を読み取るクレジットカード読み取り装置、ＲＦＩＤ読み取り装置と；その一部が遠隔活性化ロック製品ＩＤと様々なエネルギープロフィールを有する電磁気信号を含むそれぞれのキーとを照合する記録を格納するデータベースを管理する遠隔活性化ロック認証システム、セキュアサーバーと；便益拒絶ロックをロック解除するために適切な電磁気信号を送信する非活性化装置と；ディスプレイと；コンピュータまたは制御装置が情報を受信し遠隔活性化ロック認証サーバーを含む様々な装置に命令を送信できるようにする通信ハードウェアと、外部システム装置と通信を行うあるいは互いに通信を行う（例えば、クレジットカード読み取り装置から外部検証システムへ）装置のいくつかと、を含む。一実施形態では、ＲＦＩＤタグと読み取り装置は、製品に固定された第２のバーコードにより置換され、小売り業者バーコードを読み取るために既に利用されているバーコード読み取り装置により読み取られる。遠隔活性化ロック製品購入およびロック非活性化システムは通常、キオスク内に収容されるであろうがそうである必要はない。実用的な非キオスクの実施形態は、製品電池ポート、信号ポート、ディスプレイ、および／または製品の有効な操作または便利な操作に必須のボタンおよびスイッチへのアクセスを遮断する保護構造と係合するために電気的剥離可能接着剤を使用することにより、単一ロックまたはロックの集合体を適用する。ロックの取り外しは、製品を信号に接続することにより達成されてもよい。実際上、信号接続は、コンピュータまたは同様の装置上のＵＳＢまたは同様のポートを介してもよく、その保護構造から製品を効果的にロック解除するための適切な信号は、製品登録あるいはアクセス制御手続きが完了した後だけ使用可能となってもよい。このような手順は、ＰＯＳまたはその近傍の店内で、あるいはユースポイントまたはその近傍の顧客の家または事務所において完了してもよい。この実施形態は、プリンターカートリッジ、ディジタルカメラ、携帯情報端末（ＰＤＡ）、通信装置、メディアプレイヤー、テーザーなどのいくつかの登録可能武器、いくつかの医療装置、およびいくつかのコンピュータ、特には、それらが情報およびファームウェア更新に依存するので定期的に他のコンピュータにドッキングされるあるいはデータネットワークに接続される傾向があるハンドヘルドコンピューター、ノートブックおよびタブレットコンピュータを保護するために有用と考えられる。電池室、信号ポート、電極、ディスプレイおよびスイッチを遮断することにより、サプライチェーンおよび小売り業の盗難を被りやすい品目の有用性と販売性の両方が著しく損なわれると考えられる。この手法のこの便益は、ロックおよびロック解除された製品が同じまたはほぼ同じに見え、ソフトウェアだけに基づくセキュリティシステムの周知のハッカー性（ｈａｃｋａｂｉｌｉｔｙ）に脆弱になり得るソフトウェアだけのアクセス制御方式より優れていると考えられる
【０１４０】
消費者が、遠隔活性化ロックが取り付けられた製品の購入準備ができると、かれらはキオスクまたはシステムに近づく。消費者はバーコード読み取り装置により製品を走査し、製品の価格がディスプレイ上に示される。制御装置またはコンピュータは、消費者に支払い金を挿入するようにを指示する。支払いが現金である場合、紙幣が紙幣処理装置に挿入され、その信憑性を検証し、次に必要に応じてつりを払う。支払いがクレジットカードによる場合、制御装置は消費者に自身のカードを挿入するように指示し、カードは検証され、課金される。制御装置は、小売り業者在庫システムに購入を通知する。支払いが行なわれると、制御装置はディスプレイ上の製品購入を確認し、レシートを印刷し、顧客にＲＦＩＤ読み取り装置により製品を走査するように指示する。ＲＦＩＤ読み取り装置はカウンタ内に埋め込まれていてもよいし、あるいは携帯型ユニットであってもよい。製品上のＲＦＩＤは、製品識別番号を有する信号をＲＦＩＤ読み取り装置に送信する。ＲＦＩＤ読み取り装置は、遠隔活性化ロックの非活性化に必要な対応する電磁気信号プロフィールであるキーを判断するために遠隔活性化ロック認証システムに製品ＩＤを送信する。遠隔活性化ロック認証システム送信は、必要な電磁気信号プロフィールを制御装置に送信し、制御装置はその後それを非活性化ユニットに送信する。非活性化装置は、適切な電磁気信号を、製品上に配置された製品搭載遠隔活性化ロックに送信するために使用され、この製品上の装置はロック解除される。製品上装置は、磁気ロック、接着剤ロック、ロック式スパイダラップ、ロック式ＤＶＤハブ、ロック式ＵＳＢ装置、ロック式瓶、ロック式煙草、あるいは遠隔活性化ロック技術により固定された任意の他の製品の１つまたは複数を含んでもよい。
【０１４１】
２部エポキシ熱剥離可能接着剤の例：
パートＡ：
Ｅｐｏｎ  Ｒｅｓｉｎ  ８６３（Ｈｅｘｉｏｎ）３０ｇ
０３１  ＤＵＸ  ４０（Ｅｘｐａｎｃｅｌ）２０ｇ
これらの材料は白色ペーストを得るために十分に混合された。
パートＢ：
Ａｎｃａｍｉｎｅ  ２３９０（Ａｉｒ  Ｐｒｏｄｕｃｔ）４０ｇ
パートＡとパートＢは十分に混合される。
混合接着剤は２５℃で１９分リフト加工される。
接着剤が塗布された後、最終接着強度に達するために２４時間以上２５℃で硬化することを推奨する。
【０１４２】
電気剥離可能接着剤の詳細：
２部ポリウレタン接着剤：
好ましい極性ポリマーは、Ｄｏｗ  Ｃｈｅｍｉｃａｌｓのポリエチレングリコール、Ｃａｒｂｏｗａｘ  ＰＥＧ  ２００、３００、４００、５４０、６００、１０００、１４５０である。好ましい無極性ポリマーは、Ｇｅｎｅｓｅｅ  Ｐｏｌｙｍｅｒ  ＴｅｃｈｎｏｌｏｇｙのＧＰ  ６９０とＯＰ  ６７６などの水酸基末端シリコーンポリマーである。好ましい無極性ポリマーはまた、Ｓｏｌｖｅｙ  ＳｏｌｅｘｉｓのＦｌｕｏｒｏｌｉｎｋ  Ｄ１０、Ｄ１０−Ｈ、Ｅ−１０、Ｅ１０−Ｈ、ＥＴＸなどのフルオロポリマーであってよい。
例：
パートＡ：
Ｃａｒｂｏｗａｘ  ＰＥＧ  ６００（Ｄｏｗ）５０ｇ
アンモニウムヘキサフルオロホスファート２０ｇ
塩が極性ポリマー内に溶解するのを確実にするために十分に混合する。
パートＢ：
ＧＰ６９０（Ｇｅｎｅｓｅｅ  Ｐｏｌｙｍｅｒ  Ｔｅｃｈｎｏｌｏｇｙ）５０ｇ
ＭＤＩ（ＢＡＳＦ）２０ｇ
強粘液を得るために混合器は７０℃まで加熱された。
パートＡとパートＢは十分に混合される。
接着剤が塗布された後、最終接着強度に達するために２時間以上７０℃で硬化することを推奨する。
【０１４３】
好ましい実施形態に関する声明
本発明は好ましい実施形態に関して説明されたが、様々な変更および／または修正は、添付の特許請求範囲により定義されるように本発明の精神または範囲から逸脱することなく本発明に対してなされ得るということを当業者は容易に理解するだろう。本明細書で引用されたすべての文書は、追加または代替の詳細、特徴および／または技術的背景の教示に適切な場合、参照により本明細書に援用される。
【図１】
2013506063.tif 000005
【図２】
2013506063.tif 000006
【図３】
2013506063.tif 000007
【図４】
2013506063.tif 000008
【図５】
2013506063.tif 000009
【図６】
2013506063.tif 000010
【図７】
2013506063.tif 000011
【図８】
2013506063.tif 000012
【図９】
2013506063.tif 000013
【図１０】
2013506063.tif 000014
【図１１】
2013506063.tif 000015
【図１２】
2013506063.tif 000016
【図１３】
2013506063.tif 000017
【図１４】
2013506063.tif 000018
【図１５Ａ】
2013506063.tif 000019
【図１５Ｂ】
2013506063.tif 000020
【図１６】
2013506063.tif 000021
【図１７】
2013506063.tif 000022
【図１８】
2013506063.tif 000023
【図１９】
2013506063.tif 000024
【図２０Ａ】
2013506063.tif 000025
【図２０Ｂ】
2013506063.tif 000026
【図２１】
2013506063.tif 000027
【図２２】
2013506063.tif 000028
【図２３】
2013506063.tif 000029
【図２４】
2013506063.tif 000030
【図２５】
2013506063.tif 000031
【図２６Ａ】
2013506063.tif 000032
【図２６Ｂ】
2013506063.tif 000033
【国際調査報告】
2013506063.tif 000034
2013506063.tif 000035